(57)【特許請求の範囲】
【請求項１】
ユーザ機器（ＵＥ）におけるワイヤレス通信の方法であって、
第１のナローバンド領域のリソース上で基地局から制御信号を受信することと、
前記制御信号に少なくとも部分的に基づいて第２のナローバンド領域を識別することと、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信することと、
前記第２のナローバンド領域にリンクされた第３のナローバンド領域を識別することと、ここにおいて、前記第３のナローバンド領域が前記第２のナローバンド領域とは異なる、
前記第３のナローバンド領域のリソース上で前記基地局からＲＡＣＨ応答メッセージを受信することと
を備える、方法。
【請求項２】
前記制御信号中の明示的指示から前記第２のナローバンド領域を決定すること
をさらに備える、請求項１に記載の方法。
【請求項３】
前記制御信号に基づいてナローバンド領域の利用可能な構成のセットを決定することと、
利用可能な構成の前記セットに基づいて前記第２のナローバンド領域を選択することと  をさらに備える、請求項１に記載の方法。
【請求項４】
前記ＵＥにアプリオリに知られている構成に従って前記第２のナローバンド領域を決定すること
をさらに備える、請求項１に記載の方法。
【請求項５】
前記送信することが、
前記第２のナローバンド領域のリソース上で接続要求を送信すること
を備える、請求項１に記載の方法。
【請求項６】
前記第３のナローバンド領域のリソース上で接続セットアップメッセージを受信すること
をさらに備える、請求項５に記載の方法。
【請求項７】
前記制御信号が、同期信号、物理ブロードキャストチャネル（ＰＢＣＨ）送信、ページングメッセージ、拡張物理ダウンリンク制御チャネル（ｅＰＤＣＣＨ）、またはシステム情報ブロック（ＳＩＢ）、またはこれらの任意の組合せ、のうちの少なくとも１つを備える、請求項１に記載の方法。
【請求項８】
前記制御信号がページングメッセージを備える、請求項１に記載の方法。
【請求項９】
第３のナローバンド領域のリソース上でページングメッセージを受信することをさらに備え、ここにおいて、前記制御信号が、同期信号、物理ブロードキャストチャネル（ＰＢＣＨ）送信、または拡張物理ダウンリンク制御チャネル（ｅＰＤＣＣＨ）、またはシステム情報ブロック（ＳＩＢ）、またはこれらの任意の組合せ、のうちの少なくとも１つを備える、請求項１に記載の方法。
【請求項１０】
前記ＵＥのグループ識別情報に基づいて前記第３のナローバンド領域を識別すること
をさらに備える、請求項９に記載の方法。
【請求項１１】
前記制御信号に基づいて前記第３のナローバンド領域を識別すること
をさらに備える、請求項９に記載の方法。
【請求項１２】
前記ＵＥにアプリオリに知られている構成に基づいて前記第３のナローバンド領域を識別すること
をさらに備える、請求項９に記載の方法。
【請求項１３】
ユーザ機器（ＵＥ）におけるワイヤレス通信のための装置であって、
プロセッサと、
前記プロセッサと電子通信しているメモリと、
前記メモリに記憶された命令と
を備え、ここにおいて、前記命令が、前記装置に、
第１のナローバンド領域のリソース上で基地局から制御信号を受信することと、
前記制御信号に少なくとも部分的に基づいて第２のナローバンド領域を識別することと、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信することと、
前記第２のナローバンド領域にリンクされた第３のナローバンド領域を識別することと、ここにおいて、前記第３のナローバンド領域が前記第２のナローバンド領域とは異なる、
前記第３のナローバンド領域のリソース上で前記基地局からＲＡＣＨ応答メッセージを受信することと
を行わせるように前記プロセッサによって実行可能である、装置。
【請求項１４】
前記命令が、前記装置に、
前記制御信号中の明示的指示から前記第２のナローバンド領域を決定すること
を行わせるように前記プロセッサによって実行可能である、請求項１３に記載の装置。
【請求項１５】
前記命令が、前記装置に、
前記制御信号に基づいてナローバンド領域の利用可能な構成のセットを決定することと、
利用可能な構成の前記セットに基づいて前記第２のナローバンド領域を選択することと
を行わせるように前記プロセッサによって実行可能である、請求項１３に記載の装置。
【請求項１６】
前記命令が、前記装置に、
前記ＵＥにアプリオリに知られている構成に従って前記第２のナローバンド領域を決定すること
を行わせるように前記プロセッサによって実行可能である、請求項１３に記載の装置。
【請求項１７】
前記命令が、前記装置に、
前記第２のナローバンド領域のリソース上で接続要求を送信すること
を行わせるように前記プロセッサによって実行可能である、請求項１３に記載の装置。
【請求項１８】
前記命令が、前記装置に、
前記第３のナローバンド領域のリソース上で接続セットアップメッセージを受信すること
を行わせるように前記プロセッサによって実行可能である、請求項１７に記載の装置。
【請求項１９】
前記制御信号が、同期信号、物理ブロードキャストチャネル（ＰＢＣＨ）送信、ページングメッセージ、拡張物理ダウンリンク制御チャネル（ｅＰＤＣＣＨ）、またはシステム情報ブロック（ＳＩＢ）、またはこれらの任意の組合せを備える、請求項１３に記載の装置。
【請求項２０】
前記制御信号がページングメッセージを備える、
請求項１３に記載の装置。
【請求項２１】
前記命令が、前記装置に、
第３のナローバンド領域のリソース上でページングメッセージを受信すること
を行わせるように前記プロセッサによって実行可能であり、ここにおいて、前記制御信号が、同期信号、物理ブロードキャストチャネル（ＰＢＣＨ）送信、拡張物理ダウンリンク制御チャネル（ｅＰＤＣＣＨ）、またはシステム情報ブロック（ＳＩＢ）、またはこれらの任意の組合せを備える、請求項１３に記載の装置。
【請求項２２】
前記命令が、前記装置に、
前記ＵＥのグループ識別情報に基づいて前記第３のナローバンド領域を識別すること
を行わせるように前記プロセッサによって実行可能である、請求項２１に記載の装置。
【請求項２３】
前記命令が、前記装置に、
前記制御信号に基づいて前記第３のナローバンド領域を識別すること
を行わせるように前記プロセッサによって実行可能である、請求項２１に記載の装置。
【請求項２４】
前記命令が、前記装置に、
前記ＵＥにアプリオリに知られている構成に基づいて前記第３のナローバンド領域を識別すること
を行わせるように前記プロセッサによって実行可能である、請求項２１に記載の装置。
【請求項２５】
ユーザ機器（ＵＥ）におけるワイヤレス通信のための装置であって、
第１のナローバンド領域のリソース上で基地局から制御信号を受信するための手段と、  前記制御信号に少なくとも部分的に基づいて第２のナローバンド領域を識別するための手段と、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信するための手段と、
前記第２のナローバンド領域にリンクされた第３のナローバンド領域を識別するための手段と、ここにおいて、前記第３のナローバンド領域が前記第２のナローバンド領域とは異なる、
前記第３のナローバンド領域のリソース上で前記基地局からＲＡＣＨ応答メッセージを受信するための手段と
を備える、装置。
【請求項２６】
ユーザ機器（ＵＥ）におけるワイヤレス通信のためのコードを記憶する非一時的コンピュータ可読記憶媒体であって、前記コードが、
第１のナローバンド領域のリソース上で基地局から制御信号を受信することと、
前記制御信号に少なくとも部分的に基づいて第２のナローバンド領域を識別することと、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信することと、
前記第２のナローバンド領域にリンクされた第３のナローバンド領域を識別することと、ここにおいて、前記第３のナローバンド領域が前記第２のナローバンド領域とは異なる、
前記第３のナローバンド領域のリソース上で前記基地局からＲＡＣＨ応答メッセージを受信することと
を行うようにプロセッサによって実行可能な命令を備える、非一時的コンピュータ可読記憶媒体。
【発明の詳細な説明】
【技術分野】
【０００１】
相互参照
[0001]本特許出願は、各々が本出願の譲受人に譲渡された、２０１５年８月５日に出願された、「Linked Narrowband Operation for MTC」と題する、Ｘｕらによる米国特許出願第１４／８１８，８２４号、および２０１４年８月６日に出願された、「Linked Narrowband Operation for MTC」と題する、Ｘｕらによる米国仮特許出願第６２／０３４，１０４号の優先権を主張する。
【０００２】
[0002]以下は、一般にワイヤレス通信に関し、より詳細には、マシンタイプ通信（ＭＴＣ）のためのリンクされたナローバンド動作に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかのタイプのワイヤレスデバイスは、自動化された通信を提供し得る。自動化されたワイヤレスデバイスは、マシンツーマシン（Ｍ２Ｍ）通信またはマシンタイプ通信（ＭＴＣ）を実施するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、および、情報を活用し、またはプログラムもしくはアプリケーションと対話する人間に情報を提示することができるアプリケーションプログラムまたは中央サーバにその情報を中継する、デバイスからの通信を指すことがある。
【０００６】
[0006]場合によっては、広い周波数範囲にわたって通信することは、ＭＴＣデバイスの能力に対して大量の電力を消費し得る。すなわち、ＭＴＣデバイスは、小さい、低コストの、または低複雑度のデバイスであり得る。さらに、ＭＴＣデバイスは、ワイヤレスネットワーク上の他のＵＥに対して長い時間期間の間バッテリー電力で動作するように設計され得る。したがって、連続ブロードバンド動作は、いくつかのＭＴＣデバイスの正常な動作を妨害し、またはいくつかの適用例についてワイヤレスネットワークのユーザビリティを低減し得る。
【発明の概要】
【０００７】
[0007]本開示は、一般にワイヤレス通信システムに関し、より詳細には、マシンタイプ通信（ＭＴＣ）のためのリンクされたナローバンド動作のためのシステム、方法、および装置に関する。ユーザ機器（ＵＥ）は、第１のナローバンド領域のリソース上で基地局から制御信号を受信し得る。次いで、ＵＥは、制御信号に基づいて第２のナローバンド領域を識別し得る。場合によっては、ブロードバンドキャリアは、ナローバンド領域のインデックス付きセットに分割され得、ＵＥは、制御信号中に（暗黙的にまたは明示的に）含まれている情報を使用してインデックスを識別し得る。ＵＥは、第２のナローバンド領域のリソース上で基地局と通信し得る。たとえば、ＵＥは、システム情報ブロック（ＳＩＢ：system information block）またはページングメッセージを受信し、ＳＩＢまたはページングメッセージに基づいて選択されたナローバンドリソースを使用してランダムアクセスプロシージャを実行し得る。
【０００８】
[0008]ＭＴＣのためのリンクされたナローバンド動作の方法について説明する。本方法は、第１のナローバンド領域のリソース上で基地局から制御信号を受信することと、制御信号に少なくとも部分的に基づいて第２のナローバンド領域を識別することと、第２のナローバンド領域のリソース上で基地局と通信することとを含み得る。
【０００９】
[0009]ＭＴＣのためのリンクされたナローバンド動作のための装置について説明する。本装置は、第１のナローバンド領域のリソース上で基地局から制御信号を受信するための手段と、制御信号に少なくとも部分的に基づいて第２のナローバンド領域を識別するための手段と、第２のナローバンド領域のリソース上で基地局と通信するための手段とを含み得る。
【００１０】
[0010]ＭＴＣのためのリンクされたナローバンド動作のためのさらなる装置について説明する。本装置は、プロセッサと、プロセッサと電子通信しているメモリと、メモリに記憶された命令とを含み得る。命令は、第１のナローバンド領域のリソース上で基地局から制御信号を受信することと、制御信号に少なくとも部分的に基づいて第２のナローバンド領域を識別することと、第２のナローバンド領域のリソース上で基地局と通信することとを行うためにプロセッサによって実行可能であり得る。
【００１１】
[0011]ＭＴＣのためのリンクされたナローバンド動作のためのコードを記憶する非一時的コンピュータ可読媒体についても説明する。コードは、第１のナローバンド領域のリソース上で基地局から制御信号を受信することと、制御信号に少なくとも部分的に基づいて第２のナローバンド領域を識別することと、第２のナローバンド領域のリソース上で基地局と通信することとを行うためにプロセッサによって実行可能な命令を含み得る。
【００１２】
[0012]上記で説明した方法、装置、または非一時的コンピュータ可読媒体のいくつかの例は、制御信号中の明示的指示から第２のナローバンド領域を決定する特徴、それを行うための手段、またはそれを行うためのプロセッサ実行可能命令をさらに含み得る。いくつかの例は、制御信号に基づいてナローバンド領域の利用可能な構成のセットを決定することと、利用可能な構成のセットに基づいて第２のナローバンド領域を選択することとを含み得る。
【００１３】
[0013]上記で説明した方法、装置、または非一時的コンピュータ可読媒体のいくつかの例は、ＵＥにアプリオリに知られている構成に従って第２のナローバンド領域を決定する特徴、それを行うための手段、またはそれを行うためのプロセッサ実行可能命令をさらに含み得る。いくつかの例では、通信することは、ランダムアクセスチャネル（ＲＡＣＨ）プリアンブルを送信することを備える。
【００１４】
[0014]上記で説明した方法、装置、または非一時的コンピュータ可読媒体のいくつかの例は、第２のナローバンド領域にリンクされた第３のナローバンド領域を識別し、第３のナローバンド領域のリソース上で基地局からＲＡＣＨ応答メッセージを受信する特徴、それを行うための手段、またはそれを行うためのプロセッサ実行可能命令をさらに含み得る。いくつかの例では、通信することは、第２のナローバンド領域のリソース上で接続要求を送信することを備える。
【００１５】
[0015]上記で説明した方法、装置、または非一時的コンピュータ可読媒体のいくつかの例は、第２のナローバンド領域にリンクされた第３のナローバンド領域を識別し、第３のナローバンド領域のリソース上で接続セットアップメッセージを受信する特徴、それを行うための手段、またはそれを行うためのプロセッサ実行可能命令をさらに含み得る。いくつかの例では、第１の制御信号は、同期信号、物理ブロードキャストチャネル（ＰＢＣＨ）送信、ページングメッセージ、またはシステム情報ブロック（ＳＩＢ）を備える。
【００１６】
[0016]上記で説明した方法、装置、または非一時的コンピュータ可読媒体のいくつかの例では、制御信号はページングメッセージを含み、通信することは、第２のナローバンド領域のリソース上でＲＡＣＨプリアンブルを送信することを含む。いくつかの例は、第３のナローバンド領域のリソース上でページングメッセージを受信することを含み得、ここで、制御信号は、同期信号、ＰＢＣＨ送信、またはＳＩＢを備え、通信することは、ＲＡＣＨプリアンブルを送信することを備える。
【００１７】
[0017]上記で説明した方法、装置、または非一時的コンピュータ可読媒体のいくつかの例は、ＵＥのグループ識別情報に基づいて第３のナローバンド領域を識別する特徴、それを行うための手段、またはそれを行うためのプロセッサ実行可能命令をさらに含み得る。いくつかの例は、制御信号に基づいて第３のナローバンド領域を識別することを含み得る。
【００１８】
[0018]上記で説明した方法、装置、または非一時的コンピュータ可読媒体のいくつかの例は、ＵＥにアプリオリに知られている構成に基づいて第３のナローバンド領域を識別する特徴、それを行うための手段、またはそれを行うためのプロセッサ実行可能命令をさらに含み得る。いくつかの例では、第１の制御信号は、第２のナローバンド領域の指示を備える。
【００１９】
[0019]上記で説明した方法、装置、または非一時的コンピュータ可読媒体のいくつかの例では、制御信号は、ＭＴＣ  ＳＩＢを備える。いくつかの例では、ＭＴＣ  ＳＩＢの再送信レートは、８０ミリ秒である。
【００２０】
[0020]上記で説明した方法、装置、または非一時的コンピュータ可読媒体のいくつかの例は、拡張物理ダウンリンク制御チャネル（ｅＰＤＣＣＨ）を介してＭＴＣ  ＳＩＢのための構成を受信する特徴、それを行うための手段、またはそれを行うためのプロセッサ実行可能命令をさらに含み得る。いくつかの例では、第２のナローバンド領域の識別は、低電力動作モードに基づく。
【００２１】
[0021]ＭＴＣのためのリンクされたナローバンド動作のさらなる方法について説明する。本方法は、基地局から制御信号を受信することと、制御信号に基づいてキャリアバンド幅を決定することと、キャリアバンド幅に基づいてデータ領域を識別することとを含み得る。
【００２２】
[0022]ＭＴＣのためのリンクされたナローバンド動作のためのさらなる装置について説明する。本装置は、基地局から制御信号を受信するための手段と、制御信号に基づいてキャリアバンド幅を決定するための手段と、キャリアバンド幅に基づいてデータ領域を識別するための手段とを含み得る。
【００２３】
[0023]ＭＴＣのためのリンクされたナローバンド動作のためのさらなる装置について説明する。本装置は、プロセッサと、プロセッサと電子通信しているメモリと、メモリに記憶された命令とを含み得、ここにおいて、命令は、基地局から制御信号を受信することと、制御信号に基づいてキャリアバンド幅を決定することと、キャリアバンド幅に基づいてデータ領域を識別することとを行うためにプロセッサによって実行可能である。
【００２４】
[0024]ＭＴＣのためのリンクされたナローバンド動作のためのコードを記憶するさらなる非一時的コンピュータ可読媒体についても説明する。コードは、基地局から制御信号を受信することと、制御信号に基づいてキャリアバンド幅を決定することと、キャリアバンド幅に基づいてデータ領域を識別することとを行うためにプロセッサによって実行可能な命令を含み得る。
【００２５】
[0025]上記で説明した方法、装置、または非一時的コンピュータ可読媒体のいくつかの例は、制御信号からＰＢＣＨを復号する特徴、それを行うための手段、またはそれを行うためのプロセッサ実行可能命令をさらに含み得、ここにおいて、データ領域を識別することは、ＰＢＣＨからキャリアバンド幅を検出することを備える。いくつかの例では、データ領域を識別することは、ＰＢＣＨから検出されたキャリアバンド幅に基づいて開始シンボルインデックスを決定することを備える。
【００２６】
[0026]上記で説明した方法、装置、または非一時的コンピュータ可読媒体のいくつかの例では、データ領域を識別することは、ＰＢＣＨのリザーブビットを識別することを備える。いくつかの例では、ＰＢＣＨは、マシンタイプ通信（ＭＴＣ）固有ＰＢＣＨ情報を備える。
【００２７】
[0027]ＭＴＣのためのリンクされたナローバンド動作のさらなる方法について説明する。本方法は、第１のナローバンド領域のリソース上でＵＥに制御信号を送信することと、制御信号に少なくとも部分的に基づいて第２のナローバンド領域を識別することと、第２のナローバンド領域のリソース上でＵＥと通信することとを含み得る。
【００２８】
[0028]ＭＴＣのためのリンクされたナローバンド動作のためのさらなる装置について説明する。本装置は、第１のナローバンド領域のリソース上でＵＥに制御信号を送信するための手段と、制御信号に少なくとも部分的に基づいて第２のナローバンド領域を識別するための手段と、第２のナローバンド領域のリソース上でＵＥと通信するための手段とを含み得る。
【００２９】
[0029]ＭＴＣのためのリンクされたナローバンド動作のためのさらなる装置について説明する。本装置は、プロセッサと、プロセッサと電子通信しているメモリと、メモリに記憶された命令とを含み得、ここにおいて、命令は、第１のナローバンド領域のリソース上でＵＥに制御信号を送信することと、制御信号に少なくとも部分的に基づいて第２のナローバンド領域を識別することと、第２のナローバンド領域のリソース上でＵＥと通信することとを行うためにプロセッサによって実行可能である。
【００３０】
[0030]ＭＴＣのためのリンクされたナローバンド動作のためのコードを記憶するさらなる非一時的コンピュータ可読媒体についても説明する。コードは、第１のナローバンド領域のリソース上でＵＥに制御信号を送信することと、制御信号に少なくとも部分的に基づいて第２のナローバンド領域を識別することと、第２のナローバンド領域のリソース上でＵＥと通信することとを行うためにプロセッサによって実行可能な命令を含み得る。
【００３１】
[0031]上記で説明した方法、装置、または非一時的コンピュータ可読媒体のいくつかの例は、制御信号中の第２のナローバンド領域の明示的指示を与える特徴、それを行うための手段、またはそれを行うためのプロセッサ実行可能命令をさらに含み得る。いくつかの例は、制御信号中のナローバンド領域の利用可能な構成のセットを与えることを含み得、第２のナローバンド領域は、利用可能な構成のセットからＵＥによって選択された領域を備える。
【００３２】
[0032]上記で説明した方法、装置、または非一時的コンピュータ可読媒体のいくつかの例は、基地局にアプリオリに知られている構成に従って第２のナローバンド領域を決定する特徴、それを行うための手段、またはそれを行うためのプロセッサ実行可能命令をさらに含み得る。いくつかの例では、通信することは、ランダムアクセスチャネル（ＲＡＣＨ）プリアンブルを受信することを備える。
【００３３】
[0033]上記で説明した方法、装置、または非一時的コンピュータ可読媒体のいくつかの例は、第２のナローバンド領域にリンクされた第３のナローバンド領域を識別し、第３のナローバンド領域のリソース上で基地局からＲＡＣＨ応答メッセージを送信する特徴、それを行うための手段、またはそれを行うためのプロセッサ実行可能命令をさらに含み得る。いくつかの例では、通信することは、第２のナローバンド領域のリソース上で接続要求を受信することを備える。
【００３４】
[0034]上記で説明した方法、装置、または非一時的コンピュータ可読媒体のいくつかの例は、第２のナローバンド領域にリンクされた第３のナローバンド領域を識別し、第３のナローバンド領域のリソース上で接続セットアップメッセージを送信する特徴、それを行うための手段、またはそれを行うためのプロセッサ実行可能命令をさらに含み得る。いくつかの例では、第１の制御信号は、同期信号、物理ブロードキャストチャネル（ＰＢＣＨ）送信、ページングメッセージ、またはシステム情報ブロック（ＳＩＢ）を備える。
【００３５】
[0035]上記で説明した方法、装置、または非一時的コンピュータ可読媒体のいくつかの例では、制御信号はページングメッセージを備え、通信することは、第２のナローバンド領域のリソース上でＲＡＣＨプリアンブルを受信することを備える。いくつかの例は、第３のナローバンド領域のリソース上でページングメッセージを送信することを含み得、ここにおいて、制御信号は、同期信号、ＰＢＣＨ送信、またはＳＩＢを備え、通信することは、ＲＡＣＨプリアンブルを受信することを備える。
【００３６】
[0036]上記で説明した方法、装置、または非一時的コンピュータ可読媒体のいくつかの例は、ＵＥのグループ識別情報に基づいて第３のナローバンド領域を識別することをさらに含み得る。いくつかの例は、制御信号中の第３のナローバンド領域の指示を与えることを含み得る。
【００３７】
[0037]上記で説明した方法、装置、または非一時的コンピュータ可読媒体のいくつかの例は、基地局にアプリオリに知られている構成に基づいて第３のナローバンド領域を識別する特徴、それを行うための手段、またはそれを行うためのプロセッサ実行可能命令をさらに含み得る。いくつかの例では、第１の制御信号は、第２のナローバンド領域の指示を備える。
【００３８】
[0038]上記で説明した方法、装置、または非一時的コンピュータ可読媒体のいくつかの例では、制御信号は、ＭＴＣ  ＳＩＢを備える。いくつかの例では、ＭＴＣ  ＳＩＢの再送信レートは、８０ミリ秒である。
【００３９】
[0039]上記で説明した方法、装置、または非一時的コンピュータ可読媒体のいくつかの例は、拡張物理ダウンリンク制御チャネル（ｅＰＤＣＣＨ）を介してＭＴＣ  ＳＩＢのための構成を送信する特徴、それを行うための手段、またはそれを行うためのプロセッサ実行可能命令をさらに含み得る。いくつかの例では、第２のナローバンド領域の識別は、低電力動作モードに基づく。
【００４０】
[0040]ＭＴＣのためのリンクされたナローバンド動作のさらなる方法について説明する。本方法は、データ領域のための開始シンボルインデックスを示すＰＢＣＨを生成することと、ＵＥにＰＢＣＨを送信することとを含み得る。
【００４１】
[0041]ＭＴＣのためのリンクされたナローバンド動作のためのさらなる装置について説明する。本装置は、データ領域のための開始シンボルインデックスを示すＰＢＣＨを生成するための手段と、ＵＥにＰＢＣＨを送信するための手段とを含み得る。
【００４２】
[0042]ＭＴＣのためのリンクされたナローバンド動作のためのさらなる装置について説明する。本装置は、プロセッサと、プロセッサと電子通信しているメモリと、メモリに記憶された命令とを含み得、ここにおいて、命令は、データ領域のための開始シンボルインデックスを示すＰＢＣＨを生成することと、ＵＥにＰＢＣＨを送信することとを行うためにプロセッサによって実行可能である。
【００４３】
[0043]ＭＴＣのためのリンクされたナローバンド動作のためのコードを記憶するさらなる非一時的コンピュータ可読媒体についても説明する。コードは、データ領域のための開始シンボルインデックスを示すＰＢＣＨを生成することと、ＵＥにＰＢＣＨを送信することとを行うためにプロセッサによって実行可能な命令を含み得る。
【００４４】
[0044]上記で説明した方法、装置、または非一時的コンピュータ可読媒体のいくつかの例では、ＰＢＣＨは、開始シンボルインデックスを示すリザーブビットを備える。いくつかの例では、ＰＢＣＨのバンド幅は、開始シンボルインデックスを示す。
【００４５】
[0045]上記で説明した方法、装置、または非一時的コンピュータ可読媒体のいくつかの例では、ＰＢＣＨは、マシンタイプ通信（ＭＴＣ）固有ＰＢＣＨ情報を備える。
【００４６】
[0046]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性は、それらの編成と動作の方法の両方とも、関連する利点とともに、添付の図に関連して以下の説明を検討するとより良く理解されよう。図の各々は、例示および説明のみの目的で提供され、特許請求の範囲の限界を定めるものではない。
【００４７】
[0047]本開示の性質および利点のさらなる理解は、以下の図面を参照して実現され得る。添付の図では、同様の構成要素または特徴は、同一の参照符号を有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００４８】
【図１】[0048]本開示の様々な態様による、ワイヤレス通信システムの一例を示す図。
【図２】[0049]本開示の様々な態様による、ＭＴＣのためのリンクされたナローバンド動作のためのワイヤレス通信システムの一例を示す図。
【図３Ａ】[0050]本開示の様々な態様による、ＭＴＣのためのリンクされたナローバンド動作のためのダウンリンク制御信号送信タイミングの一例を示す図。
【図３Ｂ】[0051]本開示の様々な態様による、ＭＴＣのためのリンクされたナローバンド動作のためのダウンリンク制御信号送信タイミングの一例を示す図。
【図４】[0052]本開示の様々な態様による、ＭＴＣのためのナローバンド領域リンキングの一例を示す図。
【図５】[0053]本開示の様々な態様による、ＭＴＣのためのリンクされたナローバンド動作のためのメッセージ交換の一例を示す図。
【図６】[0054]本開示の様々な態様による、ＭＴＣのためのリンクされたナローバンド動作のために構成されたＵＥのブロック図。
【図７】[0055]本開示の様々な態様による、ＭＴＣのためのリンクされたナローバンド動作のために構成されたＵＥのブロック図。
【図８】[0056]本開示の様々な態様による、ＭＴＣのためのリンクされたナローバンド動作のために構成されたＵＥのブロック図。
【図９】[0057]本開示の様々な態様による、ＭＴＣのためのリンクされたナローバンド動作のためのシステムのブロック図。
【図１０】[0058]本開示の様々な態様による、ＭＴＣのためのリンクされたナローバンド動作のために構成された基地局のブロック図。
【図１１】[0059]本開示の様々な態様による、ＭＴＣのためのリンクされたナローバンド動作のために構成された基地局のブロック図。
【図１２】[0060]本開示の様々な態様による、ＭＴＣのためのリンクされたナローバンド動作のために構成された基地局のブロック図。
【図１３】[0061]本開示の様々な態様による、ＭＴＣのためのリンクされたナローバンド動作のためのシステムのブロック図。
【図１４】[0062]本開示の様々な態様による、ＭＴＣのためのリンクされたナローバンド動作のための方法を示すフローチャート。
【図１５】[0063]本開示の様々な態様による、ＭＴＣのためのリンクされたナローバンド動作のための方法を示すフローチャート。
【図１６】[0064]本開示の様々な態様による、ＭＴＣのためのリンクされたナローバンド動作のための方法を示すフローチャート。
【図１７】[0065]本開示の様々な態様による、ＭＴＣのためのリンクされたナローバンド動作のための方法を示すフローチャート。
【図１８】[0066]本開示の様々な態様による、ＭＴＣのためのリンクされたナローバンド動作のための方法を示すフローチャート。
【図１９】[0067]本開示の様々な態様による、ＭＴＣのためのリンクされたナローバンド動作のための方法を示すフローチャート。
【図２０】[0068]本開示の様々な態様による、ＭＴＣのためのリンクされたナローバンド動作のための方法を示すフローチャート。
【発明を実施するための形態】
【００４９】
[0069]ブロードバンドキャリアは、ナローバンド領域に分割され得、ＵＥは、基地局とのそれの通信の異なる態様のために利用するために、リンクされたナローバンド領域を識別し得る。たとえば、ナローバンド領域はインデックス付けされ得、ＵＥは、基地局からの制御信号中に（暗黙的にまたは明示的に）含まれている情報を使用して、特定のナローバンド領域のインデックスを識別し得る。すなわち、ＵＥは、ＵＥ識別子（ＩＤ）またはページンググループの関数として暗黙的に、あるいは、制御信号中のナローバンド領域の直接指示に基づいて明示的にインデックスを識別し得る。ＵＥは、第１のナローバンド領域のリソース上で制御信号を受信し得、ＵＥは、第２のリンクされたナローバンド領域のリソース上で基地局と通信し得る。たとえば、ＵＥは、ＳＩＢまたはページングメッセージを受信し、ＳＩＢまたはページングメッセージに基づいて選択されたナローバンドリソースを使用してランダムアクセスプロシージャを実行し得る。
【００５０】
[0070]ナローバンド領域をリンクすることによって、ＭＴＣデバイスは、ワイヤレスキャリアの全周波数範囲にわたって監視または送信することなしに、特定のリソースを使用して効果的に通信し得る。これは、より効果的なナローバンド通信を可能にし得る。狭い周波数範囲にわたって通信することによって、ＭＴＣは、消費される電力量を低減し得る。これは、小さい、低コストの、または低複雑度のものであるＭＴＣデバイスが、ワイヤレスネットワーク環境においてより効果的に動作することを可能にし得る。たとえば、リンクされたナローバンド通信を使用して、ＭＴＣデバイスは、バッテリーを枯渇させることなしに、長い時間期間の間バッテリー電力で動作するように設計され得る。
【００５１】
[0071]以下の説明は、例を与えるものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わされ得る。
【００５２】
[0072]図１に、本開示の様々な態様による、ワイヤレス通信システム１００の一例を示す。システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通して、コアネットワーク１３０とインターフェースする。基地局１０５は、ユーザ機器（ＵＥ）１１５との通信のための無線構成およびスケジューリングを実行し得、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いに直接または間接的に（たとえば、コアネットワーク１３０を通して）通信し得る。
【００５３】
[0073]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、またはいくつかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００５４】
[0074]いくつかの例では、ワイヤレス通信システム１００は、ロングタームエボリューション（ＬＴＥ）／ＬＴＥ−Ａネットワークである。ＬＴＥ／ＬＴＥ−Ａネットワークでは、ｅＮＢという用語は、概して、基地局１０５を記述するために使用され得る。ワイヤレス通信システム１００は、異なるタイプの発展型ノードＢ（ｅＮＢ）が様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００５５】
[0075]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数バンド内でマクロセルとして動作し得る低電力基地局である。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５６】
[0076]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００５７】
[0077]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネル上で通信するために、パケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ：Radio Resource Control）プロトコルレイヤが、ユーザプレーンデータのための無線ベアラをサポートする、コアネットワーク１３０または基地局１０５とＵＥ１１５との間のＲＲＣ接続の確立と構成と維持とを行い得る。ＰＨＹレイヤにおいて、トランスポートチャネルは物理チャネルにマッピングされ得る。
【００５８】
[0078]ＵＥ１１５は、ワイヤレス通信システム１００全体にわたって分散され得、各ＵＥ１１５は固定式または移動可能であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。以下で説明するように、ＵＥ１１５はＭＴＣデバイスであり得る。ＵＥ１１５は、マクロｅＮＢ、スモールセルｅＮＢ、リレー基地局などを含む、様々なタイプの基地局およびネットワーク機器と通信することが可能であり得る。
【００５９】
[0079]ワイヤレス通信システム１００に示された通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）を使用して（たとえば、対スペクトルリソースを使用して）、または時分割複信（ＴＤＤ）動作を使用して（たとえば、不対スペクトルリソースを使用して）双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００６０】
[0080]システム１００のいくつかの実施形態では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００６１】
[0081]ワイヤレス通信システム１００は、複数のセルまたはキャリア上での動作、すなわち、キャリアアグリゲーションＣＡまたはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００６２】
[0082]いくつかのタイプのワイヤレスデバイスは、自動化された通信を提供し得る。自動化されたワイヤレスデバイスは、マシンツーマシン（Ｍ２Ｍ）通信またはマシンタイプ通信（ＭＴＣ）を実施するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、および、情報を活用し、またはプログラムもしくはアプリケーションと対話する人間に情報を提示することができるアプリケーションプログラムまたは中央サーバにその情報を中継する、デバイスからの通信を指すことがある。
【００６３】
[0083]いくつかのＵＥ１１５は、情報を収集する、または機械の自動化された挙動を可能にするように設計されたものなどの、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に参加していないとき、電力節約「ディープスリープ」モードに入るように構成され得る。
【００６４】
[0084]たとえば、システム１００のＵＥ１１５のうちのいくつかは、低コストまたは低複雑度実装を可能にするいくつかの動作制約を有し得る、カテゴリー０ＵＥ１１５と呼ばれることがある。たとえば、ＵＥ１１５は、ユニキャスト通信（たとえば、１０００ビットのトランスポートブロックサイズ（ＴＢＳ））またはブロードキャスト通信（たとえば、２２１６ビットのＴＢＳ）について他のＵＥ１１５と比較して、低減されたデータレートを有し得る。ＭＴＣ  ＵＥ１１５のうちのいくつかは、マルチメディアブロードキャストまたはマルチキャスト通信（たとえば、ＭＢＭＳ）をサポートし、４５８４ビットのＴＢＳをもつ物理マルチキャストチャネル（ＰＭＣＨ）を受信するように構成され得る。場合によっては、ＭＴＣ  ＵＥ１１５は、ユニキャスト通信のために２５３４４ビットのソフトバッファサイズで構成される。
【００６５】
[0085]フレーム構造は、物理リソースを編成するためにＬＴＥ同様のシステムにおいて使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つの直交周波数分割多元接続（ＯＦＤＭＡ）シンボル期間を含み得る。リソース要素は、１つのシンボル期間と１つのサブキャリア（１５ｋＨｚ周波数範囲）とからなる。リソースブロックは、周波数領域中に１２個の連続サブキャリアを含んでおり、各ＯＦＤＭシンボル中のノーマルサイクリックプレフィックスについて、時間領域（１つのスロット）中に７個の連続ＯＦＤＭシンボル、すなわち８４個のリソース要素を含んでいることがある。いくつかのリソース要素は、ＤＬ基準信号（ＤＬ−ＲＳ）を含み得る。ＤＬ−ＲＳは、セル固有基準信号（ＣＲＳ）とＵＥ固有ＲＳ（ＵＥ−ＲＳ）とを含み得る。ＵＥ−ＲＳは、物理ダウンリンク共有チャネル（ＰＤＳＣＨ）に関連するリソースブロック上で送信され得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。しかしながら、ＭＴＣデバイスは、より低いデータレートを使用して効果的に通信し得る。したがって、狭い通信バンドの使用が適切であり得る。
【００６６】
[0086]ＬＴＥ／ＬＴＥ−Ａは、各ＳＩＢが搬送するシステム情報のタイプに従って、多数の異なるＳＩＢを定義する。たとえば、ＳＩＢ１は、セル識別情報を含む、アクセス情報を含み、それは、ＵＥ１１５がセル１０５にキャンプオンすることが可能にされるかどうかを示し得る。ＳＩＢ１はまた、セル選択情報と他のＳＩＢのための情報とを含む。ＳＩＢ２は、共通チャネルおよび共有チャネルに関係するアクセス情報とパラメータとを含む。ＳＩＢ３は、セル再選択パラメータを含む。ＳＩＢ４およびＳＩＢ５は、隣接ＬＴＥセルについての再選択情報を含む。ＳＩＢ６〜ＳＩＢ８は、非ＬＴＥ（たとえば、ＵＭＴＳ、ＧＥＲＡＮ、およびＣＤＭＡ２０００）隣接セルについての再選択情報を含む。ＳＩＢ９は、ホームｅＮＢの名前を含む。ＳＩＢ１０〜ＳＩＢ１２は、緊急事態通知情報（たとえば、津波および地震警報）を含む。そして、ＳＩＢ１３は、マルチメディアブロードキャスト／マルチキャストサービス（ＭＢＭＳ）構成に関係する情報を含む。
【００６７】
[0087]ワイヤレスネットワークにアクセスすることを試みるＵＥ１１５は、基地局１０５からの１次同期信号（ＰＳＳ）を検出することによって、初期セル探索を実行し得る。ＰＳＳは、スロットおよびサブフレームタイミングの同期を可能にし得、物理レイヤ識別情報値を示し得る。次いで、ＵＥ１１５は、２次同期信号（ＳＳＳ）を受信し得る。ＳＳＳは、無線フレーム同期を可能にし得、セルを識別するために物理レイヤ識別情報値と組み合わせられ得る、セル識別情報値を与え得る。ＳＳＳはまた、複信モードおよびサイクリックプレフィックス長の検出を可能にし得る。ＰＳＳとＳＳＳの両方が、キャリアの中心の６つのリソースブロック（ＲＢ）（すなわち７２個のサブキャリア）中に位置し得る。ＰＳＳとＳＳＳとを受信した後に、ＵＥ１１５は、物理ブロードキャストチャネル（ＰＢＣＨ）中で送信され得る、マスタ情報ブロック（ＭＩＢ）を受信し得る。ＭＩＢは、システムバンド幅情報と、システムフレーム番号（ＳＦＮ）と、物理ＨＡＲＱインジケータチャネル（ＰＨＩＣＨ）構成とを含んでいることがある。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ランダムアクセスチャネル（ＲＡＣＨ）プロシージャと、ページングと、物理アップリンク制御チャネル（ＰＵＣＣＨ）と、物理アップリンク共有チャネル（ＰＵＳＣＨ）と、電力制御と、ＳＲＳと、セル禁止(barring)とに関係するＲＲＣ構成情報を含んでいることがある、ＳＩＢ２をＵＥ１１５が受信することを可能にし得る。
【００６８】
[0088]ＵＥがＳＩＢ２を復号した後、ＵＥは、基地局１０５にＲＡＣＨプリアンブルを送信し得る。たとえば、ＲＡＣＨプリアンブルは、６４個の所定のシーケンスのセットからランダムに選択され得る。これは、基地局が、システムに同時にアクセスすることを試みる複数のＵＥ１１５間で区別することを可能にし得る。基地局１０５は、ＵＬリソース許可と、タイミングアドバンスと、セル無線ネットワーク一時識別情報（Ｃ−ＲＮＴＩ）とを与えるランダムアクセス応答で応答し得る。次いで、ＵＥ１１５は、（ＵＥ１１５が、同じワイヤレスネットワークに前に接続されていた場合）一時的モバイル加入者識別情報（ＴＭＳＩ）またはランダム値をもつ接続要求を送信し得る。接続要求はまた、ＵＥ１１５が、ネットワークに接続している理由（たとえば、緊急事態、シグナリング、データ交換など）を示し得る。基地局は、新しいＣ−ＲＮＴＩを与え得る、ＵＥ１１５に宛てられた競合解消メッセージで接続要求に応答し得る。ＵＥ１１５が、正しい識別情報をもつ競合解消メッセージを受信した場合、ＵＥ１１５は、ＲＲＣセットアップを進め得る。ＵＥが競合解消メッセージを受信しない場合（たとえば、別のＵＥ１１５との競合がある場合）、ＵＥは、新しいＲＡＣＨプリアンブルを送信することによって、ＲＡＣＨプロセスを繰り返し得る。
【００６９】
[0089]本開示の態様によれば、ＵＥ１１５は、第１のナローバンド領域のリソース上で基地局１０５からページングメッセージまたはＳＩＢなど、制御信号を受信し、制御信号に基づいて第２のナローバンド領域を識別し、第２のナローバンド領域のリソース上で基地局１０５と通信し得る。たとえば、ＵＥ１１５は、第２のナローバンド領域を使用してＲＡＣＨプロシージャを開始し得る。いくつかの例では、ＵＥ１１５は、以下で説明するように、ＵＥ１１５が、他のＳＩＢまたは物理チャネルを復号することの必要性なしに、システム中で動作することを可能にするシステム情報フィールドを含み得る、ＭＴＣ固有ＳＩＢを受信し得る。
【００７０】
[0090]図２に、本開示の様々な態様による、ＭＴＣのためのリンクされたナローバンド動作のためのワイヤレス通信システム２００の一例を示す。ワイヤレス通信システム２００は、ＭＴＣデバイスであり得る、ＵＥ１１５−ａと通信する基地局１０５−ａを含み得る。基地局１０５−ａとＵＥ１１５−ａとは、本開示の態様によれば、ナローバンド対応通信リンク２２５を介して通信し得る。
【００７１】
[0091]たとえば、ＵＥ１１５−ａは、ナローバンド対応通信リンク２２５の第１のナローバンド領域のリソース上で基地局１０５−ａから制御信号を受信し、制御信号に基づいて第２のナローバンド領域を識別し、次いで、第２のナローバンド領域のリソース上で基地局１０５−ａと通信し得る。
【００７２】
[0092]図３Ａに、本開示の様々な態様による、ＭＴＣのためのリンクされたナローバンド動作のためのダウンリンク（ＤＬ）制御信号送信タイミング３０１の一例を示す。例示的なＤＬ制御信号送信タイミング３０１は、ＰＳＳ／ＳＳＳ３０５−ａと、ＰＢＣＨ３１０−ａと、ＰＢＣＨ３１０−ａとともにバンドルされ得るＳＩＢ３１５−ａとを含み得る。
【００７３】
[0093]ＰＳＳ／ＳＳＳ３０５−ａは、基地局１０５によって送信されたＰＳＳまたはＳＳＳを含み得る。場合によっては、ＰＳＳ／ＳＳＳは、５ｍｓ間隔において送信され得る。ＰＢＣＨ３１０−ａは、基地局１０５−ａのブロードキャスト送信（たとえば、ＭＩＢ）を含み得る。場合によっては、ＰＢＣＨ３１０−ａは、１０ｍｓ間隔において送信され得る。ＳＩＢ３１５−ａは、１つまたは複数のＳＩＢを含み得る。たとえば、ＳＩＢ３１５−ａは、ＳＩＢ１、ＳＩＢ２、またはＭＴＣデバイスへの送信のために変更されたＭＴＣ固有ＳＩＢを含み得る。
【００７４】
[0094]たとえば、ＳＩＢ３１５−ａは、約３００ビットのメッセージ中のＳＩＢ１およびＳＩＢ２からの情報を組み合わせることによって、ＳＩＢオーバーヘッドを低減するように設計され得る。ＳＩＢ３１５−ａは、ナローバンド送信のために構造化され、復調基準信号に基づき得る。ＳＩＢ３１５−ａはまた、新しいＭＴＣサービング無線ネットワークコントローラ（ＳＲＮＣ）無線ネットワーク一時識別情報（ＭＴＣ−Ｓ−ＲＮＴＩ）に関連し得る。場合によっては、ＳＩＢ３１５−ａは、８０ｍｓごとに再送信され、６４０ｍｓまたはそれ以上ごとに更新され得る。例では、いくつかのフィールド（さらにはＳＩＢ全体）は、ＭＴＣ固有ＳＩＢにないことがある。一例では、ＳＩＢ３１５−ａは、必須の情報を含んでいるＭＴＣ  ＳＩＢ１と、必須でない情報をもつＭＴＣ  ＳＩＢ２とを含むＭＴＣ固有ＳＩＢを含む。
【００７５】
[0095]したがって、本開示の態様によれば、ＵＥ１１５は、第１のナローバンド領域のリソース上で基地局１０５から（ＰＢＣＨ３１０−ａまたはＳＩＢ３１５−ａなどの）制御信号を受信し、制御信号に基づいて第２のナローバンド領域を識別し、第２のナローバンド領域のリソース上で基地局１０５と通信し得る。
【００７６】
[0096]図３Ｂに、本開示の様々な態様による、ＭＴＣのためのリンクされたナローバンド動作のためのＤＬ制御信号送信タイミング３０２の一例を示す。例示的なＤＬ制御信号送信タイミング３０２は、ＰＳＳ／ＳＳＳ３０５−ｂと、ＰＢＣＨ３１０−ｂと、ＳＩＢ３１５−ｂと、ＰＢＣＨ３１０−ｂおよびＳＩＢ３１５−ｂとバンドルされ得る拡張物理ダウンリンク制御チャネル（ｅＰＤＣＣＨ）３２０とを含み得る。
【００７７】
[0097]ＰＳＳ／ＳＳＳ３０５−ｂは、基地局１０５によって送信されたＰＳＳまたはＳＳＳを含み得る。ＰＢＣＨ３１０−ｂは、基地局１０５−ａのブロードキャスト送信（たとえば、ＭＩＢ）を含み得る。ＳＩＢ３１５−ｂは、１つまたは複数のＳＩＢを含み得る。たとえば、ＳＩＢ３１５−ａは、図１および図２を参照しながら上記で説明したように、ならびに図４および図５を参照しながら以下で説明するように、ＳＩＢ１、ＳＩＢ２、またはＭＴＣデバイスへの送信のために変更されたＭＴＣ固有ＳＩＢを含み得る。場合によっては、ＳＩＢ３１５−ａは、ｅＰＤＣＣＨ３２０とバンドルされ得る。いくつかの例では、ｅＰＤＣＣＨ３２０の獲得は、ＳＩＢ３１５−ａの獲得より前であり得、またはＳＩＢ３１５−ａの獲得を可能にし得る。
【００７８】
[0098]本開示の態様によれば、ＵＥ１１５は、第１のナローバンド領域のリソース上で基地局１０５から（ＰＢＣＨ３１０−ａまたはＳＩＢ３１５−ａなどの）制御信号を受信し、制御信号に基づいて第２のナローバンド領域を識別し、第２のナローバンド領域のリソース上で基地局１０５と通信し得る。
【００７９】
[0099]図４に、本開示の様々な態様による、ナローバンド領域リンキング４００の一例を示す。ナローバンド領域リンキング４００は、第１の時間期間中に制御領域４０５−ａと、ワイドバンドデータ領域４１０−ａと、第１のナローバンド領域４１５−ａとを含み、第２の時間期間中に制御領域４０５−ｂと、ワイドバンドデータ領域４１０−ｂと、第２のナローバンド領域４１５−ｂとを含み得る。
【００８０】
[0100]いくつかの例では、第１のナローバンド領域４１５−ａおよび第２のナローバンド領域４１５−ｂは、それぞれ、ワイドバンドデータ領域４１０−ａおよびワイドバンドデータ領域４１０−ａの６つのＲＢ（すなわち７２個のサブキャリア）のサブ領域であり得る。一例では、（たとえば、２０ＭＨｚキャリアについて）ワイドバンドデータ領域４１０−ａおよびワイドバンドデータ領域４１０−ｂは、（ナローバンド領域に割り振られない４つのＲＢを残して）１６個のインデックス付きナローバンド領域のセットに分割され得る、１００個のＲＢ（１２００個のサブキャリア）を含み得る。
【００８１】
[0101]第１のナローバンド領域４１５−ａ（または第２のナローバンド領域４１５−ｂ）は、ナローバンド領域のこのインデックス付きセットから選択され得る。場合によっては、第１のナローバンド領域４１５−ａおよび第２のナローバンド領域４１５−ｂは、異なる周波数リソースを含む。他の場合には、第１のナローバンド領域４１５−ａおよび第２のナローバンド領域４１５−ｂは、同じ周波数リソース（図示せず）を含む。ＵＥ１１５は、第１のナローバンド領域４１５−ａのリソース上で基地局１０５から制御信号を受信し、制御信号に基づいて第２のナローバンド領域４１５−ｂを識別し、第２のナローバンド領域４１５−ｂのリソース上で基地局１０５と通信し得る。
【００８２】
[0102]図５に、本開示の様々な態様による、ＭＴＣのためのリンクされたナローバンド動作のためのメッセージ交換５００の一例を示す。メッセージ交換５００は、送信および受信されるメッセージ、ならびに、図１〜図４を参照しながら上記で説明したＵＥ１１５および基地局１０５の例であり得る、ＵＥ１１５−ｂおよび基地局１０５−ｂによって実行される動作を表し得る。場合によっては、ＵＥ１１５−ｂは、ＭＴＣデバイスであり得る。
【００８３】
[0103]基地局１０５−ｂは、第１のナローバンド領域４１５−ａのリソース上で制御信号５０５を送信し得、ＵＥ１１５−ｂは、第１のナローバンド領域４１５−ａのリソース上で制御信号５０５を受信し得る。いくつかの例では、第１の制御５０５信号は、同期信号、ＰＢＣＨ送信、ページングメッセージ、または（ＭＴＣ固有ＳＩＢなどの）ＳＩＢを含む。場合によっては、制御信号５０５は、キャリアの中心の６つのＲＢから送信され得、これは、ＵＥ１１５−ｂと基地局１０５−ｂの両方に知られ得る。
【００８４】
[0104]ブロック５１０−ａにおいて、ＵＥ１１５−ｂは、制御信号５０５に少なくとも部分的に基づいて第２のナローバンド領域４１５−ｂを識別し得る。ブロック５１０−ｂにおいて、基地局１０５−ｂも、制御信号５０５に少なくとも部分的に基づいて第２のナローバンド領域４１５−ｂを識別し得る。いくつかの例では、第２のナローバンド領域４１５−ｂの識別は、ＭＴＣナローバンド動作モードなど、低電力動作モードに基づき得る。
【００８５】
[0105]場合によっては、基地局１０５−ｂは、制御信号５０５中の明示的指示を与え得、ＵＥ１１５−ｂは、この明示的指示から第２のナローバンド領域４１５−ｂを決定し得る。場合によっては、ＵＥ１１５−ｂは、制御信号５０５に基づいてナローバンド領域の利用可能な構成のセットを決定し得る。
【００８６】
[0106]場合によっては、基地局１０５−ｂは、制御信号５０５中のナローバンド領域の利用可能な構成のセットを与え得、ＵＥ１１５−ｂは、利用可能な構成のセットに基づいて第２のナローバンド領域４１５−ｂを選択し得る。たとえば、ブロードバンド領域またはワイドバンド領域は、６つのＲＢのナローバンド領域のインデックス付きセットに分割され得る。
【００８７】
[0107]場合によっては、ＵＥ１１５−ｂおよび基地局１０５−ｂは、（ＵＥ１１５−ｂと基地局１０５−ｂの両方に）アプリオリに知られている構成に従って第２のナローバンド領域４１５−ｂを決定し得る。たとえば、ナローバンド領域は、ワイヤレスネットワーク規格において定義され得る。
【００８８】
[0108]いくつかの例では、ＵＥ１１５−ｂは、制御信号５０５に基づいてキャリアバンド幅を決定し得る（図示せず）。この場合、ＵＥ１１５−ｂは、キャリアバンド幅に基づいてデータ領域を識別し得る。たとえば、ＵＥ１１５−ｂは、制御信号５０５からＰＢＣＨを復号し、ＰＢＣＨからのキャリアバンド幅に基づいてデータ領域を識別し得る。いくつかの例では、データ領域を識別することは、ＰＢＣＨから検出されたキャリアバンド幅に基づいて開始シンボルインデックスを決定することを含む。たとえば、ＰＢＣＨのバンド幅が１．４ＭＨｚである場合、ＵＥ１１５−ｂは、データ領域がシンボル４から開始すると決定し得る（たとえば、ここで、シンボル０〜３は、レガシー制御領域のために使用され得る）。ＰＢＣＨのバンド幅が１．４ＭＨｚよりも大きい場合、ＵＥ１１５−ｂは、データ領域がシンボル３から開始すると決定し得る（たとえば、ここで、シンボル０〜２は、レガシー制御領域のために使用され得る）。
【００８９】
[0109]いくつかの例では、データ領域を識別することは、ＰＢＣＨのリザーブビットを識別することを含む。ＰＢＣＨは、たとえば、ＭＴＣ固有ＰＢＣＨ情報を含み得る。いくつかの例では、データ／制御開始位置は、ＭＴＣデバイスに固有の繰り返しＰＢＣＨ中で示され得る。したがって、ＵＥ１１５−ｂは、ＰＣＦＩＣＨ（物理制御フォーマットインジケータチャネル）またはＲＲＣシグナリングのいずれにも依拠することなしにデータ開始位置を決定し得る。
【００９０】
[0110]ナローバンドリソースを識別した後に、ＵＥ１１５−ｂおよび基地局１０５−ｂは、識別されたリソース（すなわち、第２のナローバンド領域４１５−ｂ）を使用して通信し得る。いくつかの例では、通信することは、ＵＥ１１５−ｂがＲＡＣＨプリアンブル５１５を送信すること（および、基地局１０５−ｂがＲＡＣＨプリアンブル５１５を受信すること）を含む。他の例では、通信することは、ＵＥ１１５−ｂが接続要求を送信すること（および、基地局１０５−ｂが接続要求を受信すること）を含む。
【００９１】
[0111]初期通信の後に、ＵＥ１１５−ｂおよび基地局１０５−ｂは、第２のナローバンド領域４１５−ｂにリンクされた第３のナローバンド領域を識別し得る。たとえば、ＲＡＣＨプリアンブル５１５の後に、ＵＥ１１５−ｂおよび基地局１０５−ｂは、後続のメッセージが、ＲＡＣＨプリアンブル５１５と同じナローバンド領域上にあると決定し得る。他の場合には、後続のメッセージは、第２のナローバンド領域４１５−ｂとは異なる領域上にあり得るが、第２のナローバンド領域４１５−ｂに暗黙的に基づき得る。
【００９２】
[0112]ＵＥ１１５−ｂが第２のナローバンド領域４１５−ｂ上でＲＡＣＨプリアンブルを送信した場合、基地局１０５−ｂは、第３のナローバンド領域のリソースを使用して、ＲＡＣＨ応答メッセージ５２５を送信し得る（および、ＵＥ１１５−ｂは、第３のナローバンド領域のリソースを使用して、ＲＡＣＨ応答メッセージ５２５を受信し得る）。ＵＥ１１５−ｂが第２のナローバンド領域４１５−ｂ上で接続要求を送信した場合、基地局１０５−ｂは、第３のナローバンド領域のリソースを使用して、接続セットアップメッセージを送信し得る（および、ＵＥ１１５−ｂは、第３のナローバンド領域のリソースを使用して、接続セットアップメッセージを受信し得る）。
【００９３】
[0113]いくつかの例では、ナローバンドリンキングはまた、ページングメッセージ５３０の送信および受信を協調させるために使用され得る。場合によっては、ページングメッセージ５３０は、キャリアの中心の６つのＲＢを使用して送信され得、ＲＡＣＨプリアンブル５１５は、中心の６つのＲＢ以外のリソースを使用して送信され得る。したがって、場合によっては、ＵＥ１１５−ｂは、それがページングされる場合、または、それがデータ送信のためのＲＡＣＨを実行しなければならない場合、離調し得る。
【００９４】
[0114]ＲＡＣＨプリアンブル５１５およびページングメッセージ５３０のために使用されるリソース間のリンクのためのいくつかの変形形態が、この場合可能であり得る。たとえば、ＵＥ１１５−ｂおよび基地局１０５−ｂは、ＵＥ１１５−ｂのグループ識別情報に基づいて、制御信号５０５に基づいて、または、両方のデバイスにアプリオリに知られている構成に基づいて、（ページングのための）第３のナローバンド領域を識別し得る。
【００９５】
[0115]他の場合には、ページングメッセージ５３０は、中心の６つのＲＢ以外のリソースを使用して送信され得る。基地局１０５−ｂが多数のＭＴＣデバイスと通信している場合、これは、ページングが、異なるナローバンド領域にわたって分散されることを可能にし得る。この場合、基地局１０５−ｂは、ＵＥ１１５−ｂにページング構成をシグナリングし得る。ページングのために使用されるナローバンド領域は、ＵＥ１１５−ｂによって使用された前の（第２の）ナローバンド領域によって、ＵＥ１１５−ｂに前にシグナリングされた固定周波数ロケーション（すなわち明示的シグナリング）を使用して、あるいは、たとえば、ページンググループまたはＵＥ識別情報（ＩＤ）とともに第２のナローバンド領域４１５−ｂに基づく暗黙的導出によって、ＭＴＣデバイスグループに基づき得る。
【００９６】
[0116]次に、図６に、本開示の様々な態様による、ＭＴＣのためのリンクされたナローバンド動作のために構成されたＵＥ１１５−ｃのブロック図６００を示す。ＵＥ１１５−ｃは、図１〜図５を参照しながら説明したＵＥ１１５の態様の一例であり得る。ＵＥ１１５−ｃは、受信機６０５、ＵＥナローバンド動作モジュール６１０、または送信機６１５を含み得る。ＵＥ１１５−ｃはプロセッサをも含み得る。これらの構成要素の各々は互いに通信していることがある。
【００９７】
[0117]ＵＥ１１５−ｃの構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９８】
[0118]受信機６０５は、パケット、ユーザデータ、または様々な情報チャネルに関連する制御情報（たとえば、制御信号、ＲＡＣＨ応答、接続セットアップメッセージ、ページングメッセージなど）などの情報を受信し得る。情報は、ＵＥナローバンド動作モジュール６１０に、およびＵＥ１１５−ｃの他の構成要素に受け渡され得る。たとえば、受信機６０５は、図４を参照しながら上記で説明したように、第３のナローバンド領域のリソース上でＲＡＣＨ応答または接続セットアップメッセージを受信し得る。
【００９９】
[0119]ＵＥナローバンド動作モジュール６１０は、第１のナローバンド領域のリソース上で基地局１０５から制御信号を受信し、制御信号に少なくとも部分的に基づいて第２のナローバンド領域を識別し、第２のナローバンド領域のリソース上で基地局１０５と通信し得る。
【０１００】
[0120]送信機６１５は、ＵＥ１１５−ｃの他の構成要素から受信された信号を送信し得る。いくつかの実施形態では、送信機６１５は、トランシーバモジュールにおいて受信機６０５とコロケートされ得る。送信機６１５は単一のアンテナを含み得るか、またはそれは複数のアンテナを含み得る。
【０１０１】
[0121]図７に、本開示の様々な態様による、ＭＴＣのためのリンクされたナローバンド動作のために構成されたＵＥ１１５−ｄのブロック図７００を示す。ＵＥ１１５−ｄは、図１〜図６を参照しながら説明したＵＥ１１５の態様の一例であり得る。ＵＥ１１５−ｄは、受信機６０５−ａ、ＵＥナローバンド動作モジュール６１０−ａ、または送信機６１５−ａを含み得る。ＵＥ１１５−ｄはプロセッサをも含み得る。これらの構成要素の各々は互いに通信していることがある。ＵＥナローバンド動作モジュール６１０−ａはまた、ＵＥ制御信号モジュール７０５と、ＵＥナローバンド識別モジュール７１０と、ＵＥナローバンド通信モジュール７１５とを含み得る。
【０１０２】
[0122]ＵＥ１１５−ｄの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、１つまたは複数のＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１０３】
[0123]受信機６０５−ａは、ＵＥナローバンド動作モジュール６１０−ａに、およびＵＥ１１５−ｄの他の構成要素に受け渡され得る情報を受信し得る。ＵＥナローバンド動作モジュール６１０−ａは、図６を参照しながら上記で説明した動作を実行し得る。送信機６１５−ａは、ＵＥ１１５−ｄの他の構成要素から受信された信号を送信し得る。
【０１０４】
[0124]ＵＥ制御信号モジュール７０５は、図２〜図５を参照しながら上記で説明したように、第１のナローバンド領域のリソース上で基地局１０５から制御信号を受信し得る。いくつかの例では、第１の制御信号は、同期信号、ＰＢＣＨ送信、ページングメッセージ、またはＳＩＢを含む。いくつかの例では、第１の制御信号は、第２のナローバンド領域の指示を含む。たとえば、制御信号は、ＭＴＣ  ＳＩＢを含み得る。いくつかの例では、ＭＴＣ  ＳＩＢの再送信レートは、８０ミリ秒であり得る。ＵＥ制御信号モジュール７０５はまた、図２〜図５を参照しながら上記で説明したように、ｅＰＤＣＣＨを介してＭＴＣ  ＳＩＢのための構成を受信し得る。
【０１０５】
[0125]ＵＥナローバンド識別モジュール７１０は、図２〜図５を参照しながら上記で説明したように、制御信号に少なくとも部分的に基づいて第２のナローバンド領域を識別し得る。場合によっては、ＵＥナローバンド識別モジュール７１０は、図５を参照しながら上記で説明したように、制御信号中の明示的指示から第２のナローバンド領域を決定し得る。場合によっては、ＵＥナローバンド識別モジュール７１０は、図５を参照しながら上記で説明したように、制御信号に基づいてナローバンド領域の利用可能な構成のセットを決定し、利用可能な構成のセットに基づいて第２のナローバンド領域を選択し得る。場合によっては、ＵＥナローバンド識別モジュール７１０は、図５を参照しながら上記で説明したように、ＵＥ１１５−ｄにアプリオリに知られている構成に従って、第２のナローバンド領域を決定し得る。
【０１０６】
[0126]ＵＥナローバンド識別モジュール７１０はまた、図５を参照しながら上記で説明したように、第２のナローバンド領域にリンクされた第３のナローバンド領域を識別し得る。ある場合には、ＵＥナローバンド識別モジュール７１０は、図５を参照しながら上記で説明したように、ＵＥのグループ識別情報に基づいて第３のナローバンド領域を識別し得る。場合によっては、ＵＥナローバンド識別モジュール７１０は、図５を参照しながら上記で説明したように、制御信号に基づいて第３のナローバンド領域を識別し得る。場合によっては、ＵＥナローバンド識別モジュール７１０は、図２を参照しながら上記で説明したように、ＵＥ１１５−ｄにアプリオリに知られている構成に基づいて第３のナローバンド領域を識別し得る。
【０１０７】
[0127]ＵＥナローバンド通信モジュール７１５は、図２〜図５を参照しながら上記で説明したように、第２のナローバンド領域のリソース上で基地局と通信し得る。
【０１０８】
[0128]図８に、本開示の様々な態様による、ＭＴＣのためのリンクされたナローバンド動作のために構成されたＵＥナローバンド動作モジュール６１０−ｂのブロック図８００を示す。ＵＥナローバンド動作モジュール６１０−ｂは、図６および図７を参照しながら説明したＵＥナローバンド動作モジュール６１０の態様の一例であり得る。ＵＥナローバンド動作モジュール６１０−ｂは、ＵＥ制御信号モジュール７０５−ａと、ＵＥナローバンド識別モジュール７１０−ａと、ＵＥナローバンド通信モジュール７１５−ａとを含み得る。これらのモジュールの各々は、図７を参照しながら上記で説明した機能を実行し得る。ＵＥナローバンド動作モジュール６１０−ｂはまた、ＵＥページングモジュール８０５と、バンド幅決定モジュール８１０と、データ領域識別モジュール８１５と、ＰＢＣＨデコーダ８２０とを含み得る。
【０１０９】
[0129]ＵＥナローバンド動作モジュール６１０−ｂの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１１０】
[0130]ＵＥページングモジュール８０５は、図５を参照しながら上記で説明したように、制御信号がページングメッセージを含み得るように構成され得る。ＵＥページングモジュール８０５はまた、第３のナローバンド領域のリソース上でページングメッセージを受信するように構成され得る。制御信号は、図２〜図５を参照しながら上記で説明したように、同期信号、ＰＢＣＨ送信、またはＳＩＢを含み得る。
【０１１１】
[0131]バンド幅決定モジュール８１０は、図５を参照しながら上記で説明したように、制御信号に基づいてキャリアバンド幅を決定し得る。
【０１１２】
[0132]データ領域識別モジュール８１５は、図５を参照しながら上記で説明したように、キャリアバンド幅またはリザーブビットに基づいてデータ領域を識別し得る。いくつかの例では、データ領域を識別することは、ＰＢＣＨから検出されたキャリアバンド幅に基づいて開始シンボルインデックスを決定することを含む。いくつかの例では、データ領域を識別することは、ＰＢＣＨのリザーブビットを識別することを含む。
【０１１３】
[0133]ＰＢＣＨデコーダ８２０は、制御信号からＰＢＣＨを復号し得る。場合によっては、データ領域を識別することは、図５を参照しながら上記で説明したように、ＰＢＣＨからのキャリアバンド幅を検出することを含む。いくつかの例では、ＰＢＣＨは、ＭＴＣ固有ＰＢＣＨ情報を含む。
【０１１４】
[0134]図９に、本開示の様々な態様による、ＭＴＣのためのリンクされたナローバンド動作のためのシステム９００の図を示す。システム９００は、図１〜図８を参照しながら説明したＵＥ１１５の一例であり得る、ＵＥ１１５−ｅを含み得る。ＵＥ１１５−ｅは、図６〜図８を参照しながら説明したように、ＵＥナローバンド動作モジュール６１０の一例であり得る、ＵＥナローバンド動作モジュール９１０を含み得る。ＵＥ１１５−ｅは、ＵＥランダムアクセスモジュール９２５をも含み得る。ＵＥ１１５−ｅは、通信を送信するための構成要素と通信を受信するための構成要素とを含む、双方向音声およびデータ通信のための構成要素をも含み得る。たとえば、ＵＥ１１５−ｅは、基地局１０５−ｃと、またはＵＥ１１５−ｆと通信し得る。
【０１１５】
[0135]ＵＥランダムアクセスモジュール９２５は、図５を参照しながら上記で説明したように、ＲＡＣＨプリアンブルを送信することを含み得る、ＲＡＣＨ動作を行うように構成され得る。ＲＡＣＨ動作は、ＲＡＣＨシーケンスをランダムに選択することと、ＲＡＣＨプリアンブルを送信することと、ＲＡＣＨ応答を受信することと、接続要求を送信することと、競合解消メッセージを受信することとを含み得る。
【０１１６】
[0136]ＵＥ１１５−ｅはまた、プロセッサモジュール９０５と、（ソフトウェア（ＳＷ）９２０を含む）メモリ９１５と、トランシーバモジュール９３５と、１つまたは複数のアンテナ９４０とを含み得、その各々は、（たとえば、バス９４５を介して）互いに直接的または間接的に通信し得る。トランシーバモジュール９３５は、上記で説明したように、（１つまたは複数の）アンテナ９４０またはワイヤードリンクもしくはワイヤレスリンクを介して、１つまたは複数のネットワークと双方向に通信し得る。たとえば、トランシーバモジュール９３５は、基地局１０５と双方向に通信し得る。トランシーバモジュール９３５は、パケットを変調し、変調されたパケットを送信のために（１つまたは複数の）アンテナ９４０に与え、（１つまたは複数の）アンテナ９４０から受信されたパケットを復調するための、モデムを含み得る。ＵＥ１１５−ｅは単一のアンテナ９４０を含み得るが、ＵＥ１１５−ｅはまた、複数のワイヤレス送信を同時に送信または受信することが可能な複数のアンテナ９４０を有し得る。トランシーバモジュール９３５はまた、１つまたは複数の基地局１０５と同時に通信することが可能であり得る。
【０１１７】
[0137]メモリ９１５は、ランダムアクセスメモリ（ＲＡＭ）および読取り専用メモリ（ＲＯＭ）を含み得る。メモリ９１５は、実行されるとプロセッサモジュール９０５に本明細書で説明する様々な機能（たとえば、ＭＴＣのためのリンクされたナローバンド動作など）を実行させる命令を含むコンピュータ可読、コンピュータ実行可能ソフトウェア／ファームウェアコード９２０を記憶し得る。代替的に、ソフトウェア／ファームウェアコード９２０は、プロセッサモジュール９０５によって直接的に実行可能でないことがあるが、（たとえば、コンパイルされ、実行されたとき）コンピュータに本明細書で説明する機能を実行させ得る。プロセッサモジュール９０５は、インテリジェントハードウェアデバイス（たとえば、中央処理ユニット（ＣＰＵ）、マイクロコントローラ、ＡＳＩＣなど）を含み得る。
【０１１８】
[0138]図１０に、本開示の様々な態様による、ＭＴＣのためのリンクされたナローバンド動作のために構成された基地局１０５−ｄのブロック図１０００を示す。基地局１０５−ｄは、図１〜図９を参照しながら説明した基地局１０５の態様の一例であり得る。基地局１０５−ｄは、受信機１００５、ＢＳナローバンド動作モジュール１０１０、または送信機１０１５を含み得る。基地局１０５−ｄはプロセッサをも含み得る。これらの構成要素の各々は互いに通信していることがある。
【０１１９】
[0139]基地局１０５−ｄの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１２０】
[0140]受信機１００５は、パケット、ユーザデータ、または様々な情報チャネル（たとえば、制御チャネル、データチャネルなど）に関連付けられた制御情報などの情報を受信し得る。情報は、ＢＳナローバンド動作モジュール１０１０に、および基地局１０５−ｄの他の構成要素に受け渡され得る。
【０１２１】
[0141]ＢＳナローバンド動作モジュール１０１０は、第１のナローバンド領域のリソース上でＵＥ１１５に制御信号を送信し、制御信号に少なくとも部分的に基づいて第２のナローバンド領域を識別し、第２のナローバンド領域のリソース上でＵＥ１１５と通信し得る。
【０１２２】
[0142]送信機１０１５は、基地局１０５−ｄの他の構成要素から受信された信号を送信し得る。いくつかの実施形態では、送信機１０１５は、トランシーバモジュールにおいて受信機１００５とコロケートされ得る。送信機１０１５は単一のアンテナを含み得るか、またはそれは複数のアンテナを含み得る。いくつかの例では、送信機１０１５は、第１のナローバンド領域上で制御信号を、第３のナローバンド領域のリソース上でＲＡＣＨ応答メッセージ、接続セットアップメッセージ、またはページングメッセージを送信し得る。
【０１２３】
[0143]図１１に、本開示の様々な態様による、ＭＴＣのためのリンクされたナローバンド動作のために構成された基地局１０５−ｅのブロック図１１００を示す。基地局１０５−ｅは、図１〜図１０を参照しながら説明した基地局１０５の態様の一例であり得る。基地局１０５−ｅは、受信機１００５−ａ、ＢＳナローバンド動作モジュール１０１０−ａ、または送信機１０１５−ａを含み得る。基地局１０５−ｅはプロセッサをも含み得る。これらの構成要素の各々は互いに通信していることがある。ＢＳナローバンド動作モジュール１０１０−ａはまた、ＢＳ制御信号モジュール１１０５と、ＢＳナローバンド識別モジュール１１１０と、ＢＳナローバンド通信モジュール１１１５とを含み得る。
【０１２４】
[0144]基地局１０５−ｅの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１２５】
[0145]受信機１００５−ａは、ＢＳナローバンド動作モジュール１０１０−ａに、および基地局１０５−ｅの他の構成要素に受け渡され得る情報を受信し得る。ＢＳナローバンド動作モジュール１０１０−ａは、図１０を参照しながら上記で説明した動作を実行し得る。送信機１０１５−ａは、基地局１０５−ｅの他の構成要素から受信された信号を送信し得る。
【０１２６】
[0146]ＢＳ制御信号５０５モジュール１１０５は、図２〜図５を参照しながら上記で説明したように、第１のナローバンド領域のリソース上でＵＥに制御信号を送信し得る。いくつかの例では、第１の制御信号は、同期信号、ＰＢＣＨ送信、ページングメッセージ、またはＳＩＢを含む。いくつかの例では、第１の制御信号５０５は、第２のナローバンド領域の指示を含む。いくつかの例では、制御信号はＭＴＣ  ＳＩＢを含む。いくつかの例では、ＭＴＣ  ＳＩＢの再送信レートは、８０ミリ秒であり得る。ＢＳ制御信号モジュール１１０５はまた、図２〜図５を参照しながら上記で説明したように、ｅＰＤＣＣＨを介してＭＴＣ  ＳＩＢのための構成を送信し得る。
【０１２７】
[0147]ＢＳナローバンド識別モジュール１１１０は、図２〜図５を参照しながら上記で説明したように、制御信号に基づいて第２のナローバンド領域を識別し得る。いくつかの例では、ＢＳナローバンド識別モジュール１１１０は、図２〜図５を参照しながら上記で説明したように、制御信号中の第２のナローバンド領域の明示的指示を与え得る。ＢＳナローバンド識別モジュール１１１０はまた、第２のナローバンド領域が、利用可能な構成のセットからＵＥによって選択された領域を含むように、制御信号中のナローバンド領域の利用可能な構成のセットを与え得る。いくつかの例では、ＢＳナローバンド識別モジュール１１１０はまた、図２〜図５を参照しながら上記で説明したように、基地局１０５−ｅにアプリオリに知られている構成に従って、第２のナローバンド領域を決定し得る。
【０１２８】
[0148]ＢＳナローバンド識別モジュール１１１０はまた、図２〜図５を参照しながら上記で説明したように、第２のナローバンド領域にリンクされた第３のナローバンド領域を識別し得る。ＢＳナローバンド識別モジュール１１１０は、図２〜図５を参照しながら上記で説明したように、ＵＥのグループ識別情報に基づいて第３のナローバンド領域を識別し得る。ＢＳナローバンド識別モジュール１１１０は、場合によっては、図２〜図５を参照しながら上記で説明したように、制御信号中の第３のナローバンド領域の指示を与え得る。ＢＳナローバンド識別モジュール１１１０はまた、図２〜図５を参照しながら上記で説明したように、基地局１０５−ｅにアプリオリに知られている構成に基づいて、第３のナローバンド領域を識別し得る。いくつかの例では、第２のナローバンド領域の識別は、低電力動作モードに基づき得る。
【０１２９】
[0149]ＢＳナローバンド通信モジュール１１１５は、図２〜図５を参照しながら上記で説明したように、第２のナローバンド領域のリソース上でＵＥと通信し得る。
【０１３０】
[0150]図１２に、本開示の様々な態様による、ＭＴＣのためのリンクされたナローバンド動作のためのＢＳナローバンド動作モジュール１０１０−ｂのブロック図１２００を示す。ＢＳナローバンド動作モジュール１０１０−ｂは、図１０および図１１を参照しながら説明したＢＳナローバンド動作モジュール１０１０の態様の一例であり得る。ＢＳナローバンド動作モジュール１０１０−ｂは、ＢＳ制御信号モジュール１１０５−ａと、ＢＳナローバンド識別モジュール１１１０−ａと、ＢＳナローバンド通信モジュール１１１５−ａとを含み得る。これらのモジュールの各々は、図１２を参照しながら上記で説明した機能を実行し得る。ＢＳナローバンド動作モジュール１０１０−ｂはまた、ＢＳランダムアクセスモジュール１２０５と、ＢＳページングモジュール１２１０と、ＢＳ  ＰＢＣＨモジュール１２１５とを含み得る。
【０１３１】
[0151]ＢＳナローバンド動作モジュール１０１０−ｂの構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、１つまたは複数のＩＣ上で実行され得る。他の実施形態では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１３２】
[0152]ＢＳランダムアクセスモジュール１２０５は、図２〜図５を参照しながら上記で説明したように、通信することが、ＲＡＣＨプリアンブルを受信することを含み得るように構成され得る。ＢＳランダムアクセスモジュール１２０５はまた、図２〜図５を参照しながら上記で説明したように、第３のナローバンド領域のリソース上で基地局１０５からのＲＡＣＨ応答メッセージを送信し得る。いくつかの例では、通信することは、第２のナローバンド領域のリソース上で接続要求を受信することを含む。いくつかの例では、通信することは、第２のナローバンド領域のリソース上でＲＡＣＨプリアンブルを受信することを含む。いくつかの例では、通信することは、ＲＡＣＨプリアンブルを受信することを含む。
【０１３３】
[0153]ＢＳページングモジュール１２１０は、図２〜図５を参照しながら上記で説明したように、制御信号がページングメッセージを含み得るように構成され得る。ＢＳページングモジュール１２１０はまた、図２〜図５を参照しながら上記で説明したように、第３のナローバンド領域のリソース上でページングメッセージを送信し得、制御信号は、同期信号、ＰＢＣＨ送信、またはＳＩＢを含み得る。
【０１３４】
[0154]ＢＳ  ＰＢＣＨモジュール１２１５は、図５を参照しながら上記で説明したように、データ領域のための開始シンボルインデックスを示すＰＢＣＨを生成し得、送信機１０１５−ｂとともに、ＵＥにＰＢＣＨを送信し得る。いくつかの例では、ＰＢＣＨは、開始シンボルインデックスを示すリザーブビットを含む。いくつかの例では、ＰＢＣＨのバンド幅は、開始シンボルインデックスを示し得る。いくつかの例では、ＰＢＣＨは、ＭＴＣ固有ＰＢＣＨ情報を含む。
【０１３５】
[0155]図１３に、本開示の様々な態様による、ＭＴＣのためのリンクされたナローバンド動作のためのシステム１３００のブロック図を示す。システム１３００は、図１〜図５を参照しながら上記で説明したように、基地局１０５の一例を含み得る。基地局１０５−ｆは、通信を送信するための構成要素と通信を受信するための構成要素とを含む、双方向音声およびデータ通信のための構成要素を含み得る。たとえば、基地局１０５−ｆは、ＵＥ１１５−ｇおよびＵＥ１１５ｈと通信し得る。
【０１３６】
[0156]場合によっては、基地局１０５−ｆは、１つまたは複数のワイヤードバックホールリンクを有し得る。基地局１０５−ｆは、コアネットワーク１３０へのワイヤードバックホールリンク（たとえば、Ｓ１インターフェースなど）を有し得る。基地局１０５−ｆはまた、基地局間通信リンク（たとえば、Ｘ２インターフェースなど）を介して、基地局１０５−ｍおよび基地局１０５−ｎなど、他の基地局１０５と通信し得る。基地局１０５の各々は、同じまたは異なるワイヤレス通信技術を使用してＵＥ１１５と通信し得る。場合によっては、基地局１０５−ｆは、基地局通信モジュール１３２５を利用して１０５−ｍまたは１０５−ｎなどの他の基地局と通信し得る。いくつかの例では、基地局通信モジュール１３２５は、基地局１０５のいくつかの間の通信を行うために、ＬＴＥ／ＬＴＥ−Ａワイヤレス通信ネットワーク技術内のＸ２インターフェースを与え得る。いくつかの実施形態では、基地局１０５−ｆは、コアネットワーク１３０を通して他の基地局と通信し得る。たとえば、基地局１０５−ｆは、ネットワーク通信モジュール１３３０を通してコアネットワーク１３０と通信し得る。
【０１３７】
[0157]基地局１０５−ｆは、プロセッサモジュール１３０５と、（ソフトウェア（ＳＷ）１３２０を含む）メモリ１３１５と、トランシーバモジュール１３３５と、（１つまたは複数の）アンテナ１３４０とを含み得、その各々は、（たとえば、バスシステム１３４５を介して）互いに直接的または間接的に通信していることがある。トランシーバモジュール１３３５は、（１つまたは複数の）アンテナ１３４０を介して、マルチモードデバイスであり得るＵＥ１１５と双方向に通信するように構成され得る。トランシーバモジュール１３３５（または基地局１０５−ｆの他の構成要素）は、１つまたは複数の他の基地局（たとえば、基地局１０５−ｍまたは基地局１０５−ｎ）と、アンテナ１３４０を介して双方向に通信するようにも構成され得る。トランシーバモジュール１３３５は、パケットを変調し、変調されたパケットを送信のためにアンテナ１３４０に与え、アンテナ１３４０から受信されたパケットを復調するように構成されたモデムを含み得る。基地局１０５−ｆは、各々が１つまたは複数の関連するアンテナ１３４０をもつ、複数のトランシーバモジュール１３３５を含み得る。トランシーバモジュールは、図１０の組み合わせられた受信機１００５および送信機１０１５の一例であり得る。
【０１３８】
[0158]メモリ１３１５は、ＲＡＭとＲＯＭとを含み得る。メモリ１３１５は、実行されるとプロセッサモジュール１３１０に本明細書で説明する様々な機能（たとえば、リンクされたナローバンド領域上で通信することなど）を実行させるように構成された命令を含んでいるコンピュータ可読、コンピュータ実行可能ソフトウェアコード１３２０をも記憶し得る。代替的に、ソフトウェア１３２０は、プロセッサモジュール１３０５によって直接的に実行可能でないことがあるが、（たとえば、コンパイルされ実行されると）コンピュータに本明細書で説明する機能を実行させるように構成され得る。
【０１３９】
[0159]プロセッサモジュール１３０５は、インテリジェントハードウェアデバイス（たとえば、ＣＰＵ、マイクロコントローラ、ＡＳＩＣなど）を含み得る。プロセッサモジュール１３０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１４０】
[0160]基地局通信モジュール１３２５は、他の基地局１０５との通信を管理し得る。基地局通信モジュール１３２５は、他の基地局１０５と協働してＵＥ１１５との通信を制御するためのコントローラまたはスケジューラを含み得る。たとえば、基地局通信モジュール１３２５は、ビームフォーミングまたはジョイント送信などの様々な干渉緩和技法のためにＵＥ１１５への送信のためのスケジューリングを協調させ得る。
【０１４１】
[0161]図１４に、本開示の様々な態様による、ＭＴＣのためのリンクされたナローバンド動作のための方法１４００を示すフローチャートを示す。方法１４００の動作は、図１〜図９を参照しながら説明したように、ＵＥ１１５およびそれの構成要素によって実施され得る。いくつかの例では、方法１４００の動作は、図６〜図９を参照しながら説明したように、ＵＥナローバンド動作モジュールによって実行され得る。いくつかの例では、ＵＥ１１５は、以下で説明する機能を実行するためにＵＥ１１５の機能要素を制御するためのコードのセットを実行し得る。追加または代替として、ＵＥ１１５は、専用ハードウェアを使用して、以下で説明する機能態様を実行し得る。
【０１４２】
[0162]ブロック１４０５において、ＵＥ１１５は、図２〜図５を参照しながら上記で説明したように、第１のナローバンド領域のリソース上で基地局から制御信号５０５を受信する。いくつかの例では、ブロック１４０５の（１つまたは複数の）動作は、図７を参照しながら上記で説明したように、ＵＥ制御信号モジュール７０５によって実行され得る。
【０１４３】
[0163]ブロック１４１０において、ＵＥ１１５は、図２〜図５を参照しながら上記で説明したように、制御信号に少なくとも部分的に基づいて第２のナローバンド領域を識別する。いくつかの例では、ブロック１４１０の（１つまたは複数の）動作は、図７を参照しながら上記で説明したように、ＵＥナローバンド識別モジュール７１０によって実行され得る。
【０１４４】
[0164]ブロック１４１５において、ＵＥ１１５は、図２〜図５を参照しながら上記で説明したように、第２のナローバンド領域のリソース上で基地局と通信する。いくつかの例では、ブロック１４１５の（１つまたは複数の）動作は、図７を参照しながら上記で説明したように、ＵＥナローバンド通信モジュール７１５によって実行され得る。
【０１４５】
[0165]図１５に、本開示の様々な態様による、ＭＴＣのためのリンクされたナローバンド動作のための方法１５００を示すフローチャートを示す。方法１５００の動作は、図１〜図９を参照しながら説明したように、ＵＥ１１５およびそれの構成要素によって実施され得る。いくつかの例では、方法１５００の動作は、図６〜図９を参照しながら説明したように、ＵＥナローバンド動作モジュール６１０によって実行され得る。いくつかの例では、ＵＥ１１５は、以下で説明する機能を実行するためにＵＥ１１５の機能要素を制御するためのコードのセットを実行し得る。追加または代替として、ＵＥ１１５は、専用ハードウェアを使用して、以下で説明する機能態様を実行し得る。方法１５００はまた、図１４の方法１４００の態様を組み込み得る。
【０１４６】
[0166]ブロック１５０５において、ＵＥ１１５は、図２〜図５を参照しながら上記で説明したように、第１のナローバンド領域のリソース上で基地局から制御信号を受信する。いくつかの例では、ブロック１５０５の（１つまたは複数の）動作は、図７を参照しながら上記で説明したように、ＵＥ制御信号モジュール７０５によって実行され得る。
【０１４７】
[0167]ブロック１５１０において、ＵＥ１１５は、図２〜図５を参照しながら上記で説明したように、制御信号に少なくとも部分的に基づいて第２のナローバンド領域を識別する。たとえば、ＵＥ１１５は、図２〜図５を参照しながら上記で説明したように、制御信号中の明示的指示から第２のナローバンド領域を決定し得る。いくつかの例では、ブロック１５１０の（１つまたは複数の）動作は、図７を参照しながら上記で説明したように、ＵＥナローバンド識別モジュール７１０によって実行され得る。
【０１４８】
[0168]ブロック１５１５において、ＵＥ１１５は、図２〜図５を参照しながら上記で説明したように、第２のナローバンド領域のリソース上で基地局と通信する。いくつかの例では、ブロック１５１５の（１つまたは複数の）動作は、図７を参照しながら上記で説明したように、ＵＥナローバンド通信モジュール７１５によって実行され得る。
【０１４９】
[0169]図１６に、本開示の様々な態様による、ＭＴＣのためのリンクされたナローバンド動作のための方法１６００を示すフローチャートを示す。方法１６００の動作は、図１〜図９を参照しながら説明したように、ＵＥ１１５およびそれの構成要素によって実施され得る。いくつかの例では、方法１６００の動作は、図６〜図９を参照しながら説明したように、ＵＥナローバンド動作モジュール６１０によって実行され得る。いくつかの例では、ＵＥ１１５は、以下で説明する機能を実行するためにＵＥ１１５の機能要素を制御するためのコードのセットを実行し得る。追加または代替として、ＵＥ１１５は、専用ハードウェアを使用して、以下で説明する機能態様を実行し得る。方法１６００はまた、図１４および図１５の方法１４００および方法１５００の態様を組み込み得る。
【０１５０】
[0170]ブロック１６０５において、ＵＥ１１５は、図２〜図５を参照しながら上記で説明したように、第１のナローバンド領域のリソース上で基地局から制御信号を受信する。いくつかの例では、ブロック１６０５の（１つまたは複数の）動作は、図７を参照しながら上記で説明したように、ＵＥ制御信号モジュール７０５によって実行され得る。
【０１５１】
[0171]ブロック１６１０において、ＵＥ１１５は、図２〜図５を参照しながら上記で説明したように、制御信号に少なくとも部分的に基づいて第２のナローバンド領域を識別する。たとえば、ＵＥ１１５は、図２〜図５を参照しながら上記で説明したように、制御信号に基づいてナローバンド領域の利用可能な構成のセットを決定し得る。いくつかの例では、ブロック１６１０の（１つまたは複数の）動作は、図７を参照しながら上記で説明したように、ＵＥナローバンド識別モジュール７１０によって実行され得る。
【０１５２】
[0172]ブロック１６１５において、ＵＥ１１５は、図２〜図５を参照しながら上記で説明したように、利用可能な構成のセットに基づいて第２のナローバンド領域を選択する。いくつかの例では、ブロック１６１５の（１つまたは複数の）動作は、図７を参照しながら上記で説明したように、ＵＥナローバンド識別モジュール７１０によって実行され得る。
【０１５３】
[0173]ブロック１６２０において、ＵＥ１１５は、図２〜図５を参照しながら上記で説明したように、第２のナローバンド領域のリソース上で基地局と通信する。いくつかの例では、ブロック１６２０の（１つまたは複数の）動作は、図７を参照しながら上記で説明したように、ＵＥナローバンド通信モジュール７１５によって実行され得る。
【０１５４】
[0174]図１７に、本開示の様々な態様による、ＭＴＣのためのリンクされたナローバンド動作のための方法１７００を示すフローチャートを示す。方法１７００の動作は、図１〜図９を参照しながら説明したように、ＵＥ１１５およびそれの構成要素によって実施され得る。いくつかの例では、方法１７００の動作は、図６〜図９を参照しながら説明したように、ＵＥナローバンド動作モジュール６１０によって実行され得る。いくつかの例では、ＵＥ１１５は、以下で説明する機能を実行するためにＵＥ１１５の機能要素を制御するためのコードのセットを実行し得る。追加または代替として、ＵＥ１１５は、専用ハードウェアを使用して、以下で説明する機能態様を実行し得る。方法１７００はまた、図１４〜図１６の方法１４００、１５００、および１６００の態様を組み込み得る。
【０１５５】
[0175]ブロック１７０５において、ＵＥ１１５は、図２〜図５を参照しながら上記で説明したように、第１のナローバンド領域のリソース上で基地局から制御信号を受信する。いくつかの例では、ブロック１７０５の（１つまたは複数の）動作は、図７を参照しながら上記で説明したように、ＵＥ制御信号モジュール７０５によって実行され得る。
【０１５６】
[0176]ブロック１７１０において、ＵＥ１１５は、図２〜図５を参照しながら上記で説明したように、制御信号に少なくとも部分的に基づいて第２のナローバンド領域４１５−ｂを識別する。たとえば、ＵＥ１１５は、図２〜図５を参照しながら上記で説明したように、ＵＥにアプリオリに知られている構成に従って、第２のナローバンド領域を決定し得る。いくつかの例では、ブロック１７１０の（１つまたは複数の）動作は、図７を参照しながら上記で説明したように、ＵＥナローバンド識別モジュール７１０によって実行され得る。
【０１５７】
[0177]ブロック１７１５において、ＵＥ１１５は、図２〜図５を参照しながら上記で説明したように、第２のナローバンド領域のリソース上で基地局と通信する。いくつかの例では、ブロック１７１５の（１つまたは複数の）動作は、図７を参照しながら上記で説明したように、ＵＥナローバンド通信モジュール７１５によって実行され得る。
【０１５８】
[0178]図１８に、本開示の様々な態様による、ＭＴＣのためのリンクされたナローバンド動作のための方法１８００を示すフローチャートを示す。方法１８００の動作は、図１〜図９を参照しながら説明したように、ＵＥ１１５およびそれの構成要素によって実施され得る。いくつかの例では、方法１８００の動作は、図６〜図９を参照しながら説明したように、ＵＥナローバンド動作モジュール６１０によって実行され得る。いくつかの例では、ＵＥ１１５は、以下で説明する機能を実行するためにＵＥ１１５の機能要素を制御するためのコードのセットを実行し得る。追加または代替として、ＵＥ１１５は、専用ハードウェアを使用して、以下で説明する機能態様を実行し得る。方法１８００はまた、図１４〜図１７の方法１４００、１５００、１６００、および１７００の態様を組み込み得る。
【０１５９】
[0179]ブロック１８０５において、ＵＥ１１５は、図２〜図５を参照しながら上記で説明したように、第１のナローバンド領域のリソース上で基地局から制御信号を受信する。いくつかの例では、ブロック１８０５の（１つまたは複数の）動作は、図７を参照しながら上記で説明したように、ＵＥ制御信号モジュール７０５によって実行され得る。
【０１６０】
[0180]ブロック１８１０において、ＵＥ１１５は、図２〜図５を参照しながら上記で説明したように、制御信号に少なくとも部分的に基づいて第２のナローバンド領域を識別する。いくつかの例では、ブロック１８１０の（１つまたは複数の）動作は、図７を参照しながら上記で説明したように、ＵＥナローバンド識別モジュール７１０によって実行され得る。
【０１６１】
[0181]ブロック１８１５において、ＵＥ１１５は、図２〜図５を参照しながら上記で説明したように、ＲＡＣＨプリアンブルを送信する。いくつかの例では、ブロック１８１５の（１つまたは複数の）動作は、図９を参照しながら上記で説明したように、ＵＥランダムアクセスモジュール９２５によって実行され得る。
【０１６２】
[0182]ブロック１８２０において、ＵＥ１１５は、図２〜図５を参照しながら上記で説明したように、第２のナローバンド領域にリンクされた第３のナローバンド領域を識別する。いくつかの例では、ブロック１８２０の（１つまたは複数の）動作は、図７を参照しながら上記で説明したように、ＵＥナローバンド識別モジュール７１０によって実行され得る。
【０１６３】
[0183]ブロック１８２５において、ＵＥ１１５は、図２〜図５を参照しながら上記で説明したように、第３のナローバンド領域のリソース上で基地局からＲＡＣＨ応答メッセージを受信する。いくつかの例では、ブロック１８２５の（１つまたは複数の）動作は、図９を参照しながら上記で説明したように、ＵＥランダムアクセスモジュール９０５によって実行され得る。
【０１６４】
[0184]図１９に、本開示の様々な態様による、ＭＴＣのためのリンクされたナローバンド動作のための方法１９００を示すフローチャートを示す。方法１９００の動作は、図１〜図９を参照しながら説明したように、ＵＥ１１５およびそれの構成要素によって実施され得る。いくつかの例では、方法１９００の動作は、図６〜図９を参照しながら説明したように、ＵＥナローバンド動作モジュール６１０によって実行され得る。いくつかの例では、ＵＥ１１５は、以下で説明する機能を実行するためにＵＥ１１５の機能要素を制御するためのコードのセットを実行し得る。追加または代替として、ＵＥ１１５は、専用ハードウェアを使用して、以下で説明する機能態様を実行し得る。方法１９００はまた、図１４〜図１８の方法１４００、１５００、１６００、１７００、および１８００の態様を組み込み得る。
【０１６５】
[0185]ブロック１９０５において、ＵＥ１１５は、図２〜図５を参照しながら上記で説明したように、基地局から制御信号５０５を受信する。いくつかの例では、ブロック１９０５の（１つまたは複数の）動作は、図７を参照しながら上記で説明したように、ＵＥ制御信号モジュール７０５によって実行され得る。
【０１６６】
[0186]ブロック１９１０において、ＵＥ１１５は、図５を参照しながら上記で説明したように、制御信号に基づいてキャリアバンド幅を決定する。いくつかの例では、ブロック１９１０の（１つまたは複数の）動作は、図８を参照しながら上記で説明したように、バンド幅決定モジュール８１０によって実行され得る。
【０１６７】
[0187]ブロック１９１５において、ＵＥ１１５は、図５を参照しながら上記で説明したように、キャリアバンド幅に基づいてデータ領域を識別する。いくつかの例では、ブロック１９１５の（１つまたは複数の）動作は、図８を参照しながら上記で説明したように、データ領域識別モジュール８１５によって実行され得る。
【０１６８】
[0188]図２０に、本開示の様々な態様による、ＭＴＣのためのリンクされたナローバンド動作のための方法２０００を示すフローチャートを示す。方法２０００の動作は、図１〜図５および図１０〜図１３を参照しながら説明したように、基地局１０５およびそれの構成要素によって実施され得る。いくつかの例では、方法２０００の動作は、図１０〜図１３を参照しながら説明したように、ＢＳナローバンド動作モジュール１０１０によって実行され得る。いくつかの例では、基地局１０５は、以下で説明する機能を実行するために基地局１０５の機能要素を制御するためのコードのセットを実行し得る。追加または代替として、基地局１０５は、専用ハードウェアを使用して、以下で説明する機能態様を実行し得る。
【０１６９】
[0189]ブロック２００５において、基地局１０５は、図２〜図５を参照しながら上記で説明したように、第１のナローバンド領域のリソース上でＵＥに制御信号を送信する。いくつかの例では、ブロック２００５の（１つまたは複数の）動作は、図１０を参照しながら上記で説明したように、ＢＳ制御信号モジュール１１０５によって実行され得る。
【０１７０】
[0190]ブロック２０１０において、基地局１０５は、図２〜図５を参照しながら上記で説明したように、制御信号に少なくとも部分的に基づいて第２のナローバンド領域を識別する。いくつかの例では、ブロック２０１０の（１つまたは複数の）動作は、図１０を参照しながら上記で説明したように、ＢＳナローバンド識別モジュール１１１０によって実行され得る。
【０１７１】
[0191]ブロック２０１５において、基地局１０５は、図２〜図５を参照しながら上記で説明したように、第２のナローバンド領域のリソース上でＵＥと通信する。いくつかの例では、ブロック２０１５の（１つまたは複数の）動作は、図１０を参照しながら上記で説明したように、ＢＳナローバンド通信モジュール１１１５によって実行され得る。
【０１７２】
[0192]したがって、方法１４００、１５００、１６００、１７００、１８００、１９００、および２０００は、ＭＴＣのためのリンクされたナローバンド動作を与え得る。方法１４００、１５００、１６００、１７００、１８００、１９００、および２０００は可能な実施形態を表すこと、ならびに動作およびステップは、他の実施形態が可能であるように、並べ替えられるかまたは場合によっては変更され得ることに留意されたい。いくつかの例では、方法１４００、１５００、１６００、１７００、１８００、１９００、および２０００のうちの２つまたはそれ以上からの態様が組み合わせられ得る。
【０１７３】
[0193]添付の図面に関して上記に記載した詳細な説明は、例示的な実施形態について説明しており、実装され得るまたは特許請求の範囲内に入るすべての実施形態を表すとは限らない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１７４】
[0194]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１７５】
[0195]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１７６】
[0196]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような選言的列挙を示す。
【０１７７】
[0197]コンピュータ可読媒体は、ある場所から別の場所へのコンピュータプログラムの転送を可能にする任意の媒体を含む、コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１７８】
[0198]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【０１７９】
[0199]本明細書で説明した技法は、符号分割多元接続（ＣＤＭＡ）、時分割多元接続（ＴＤＭＡ）、周波数分割多元接続（ＦＤＭＡ）、ＯＦＤＭＡ、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願の出願当初の特許請求の範囲に記載された発明を付記する。
［Ｃ１］
ユーザ機器（ＵＥ）におけるワイヤレス通信の方法であって、
第１のナローバンド領域のリソース上で基地局から制御信号を受信することと、
前記制御信号に少なくとも部分的に基づいて第２のナローバンド領域を識別することと、
前記第２のナローバンド領域のリソース上で前記基地局と通信することと
を備える、方法。
［Ｃ２］
前記制御信号中の明示的指示から前記第２のナローバンド領域を決定すること
をさらに備える、Ｃ１に記載の方法。
［Ｃ３］
前記制御信号に基づいてナローバンド領域の利用可能な構成のセットを決定することと、
利用可能な構成の前記セットに基づいて前記第２のナローバンド領域を選択することとをさらに備える、Ｃ１に記載の方法。
［Ｃ４］
前記ＵＥにアプリオリに知られている構成に従って前記第２のナローバンド領域を決定すること
をさらに備える、Ｃ１に記載の方法。
［Ｃ５］
通信することが、
ランダムアクセスチャネル（ＲＡＣＨ）プリアンブルを送信すること
を備える、Ｃ１に記載の方法。
［Ｃ６］
前記第２のナローバンド領域にリンクされた第３のナローバンド領域を識別することと、
前記第３のナローバンド領域のリソース上で前記基地局からＲＡＣＨ応答メッセージを受信することと
をさらに備える、Ｃ５に記載の方法。
［Ｃ７］
通信することが、
前記第２のナローバンド領域のリソース上で接続要求を送信すること
を備える、Ｃ１に記載の方法。
［Ｃ８］
前記第２のナローバンド領域にリンクされた第３のナローバンド領域を識別することと、
前記第３のナローバンド領域のリソース上で接続セットアップメッセージを受信することと
をさらに備える、Ｃ７に記載の方法。
［Ｃ９］
前記制御信号が、同期信号、物理ブロードキャストチャネル（ＰＢＣＨ）送信、ページングメッセージ、またはシステム情報ブロック（ＳＩＢ）を備える、Ｃ１に記載の方法。
［Ｃ１０］
前記制御信号がページングメッセージを備え、
前記通信することが、前記第２のナローバンド領域の前記リソース上でランダムアクセスチャネル（ＲＡＣＨ）プリアンブルを送信することを備える、
Ｃ１に記載の方法。
［Ｃ１１］
第３のナローバンド領域のリソース上でページングメッセージを受信することをさらに備え、ここにおいて、前記制御信号が、同期信号、物理ブロードキャストチャネル（ＰＢＣＨ）送信、またはＳＩＢを備え、
ここにおいて、前記通信することが、ＲＡＣＨプリアンブルを送信することを備える、Ｃ１に記載の方法。
［Ｃ１２］
前記ＵＥのグループ識別情報に基づいて前記第３のナローバンド領域を識別することをさらに備える、Ｃ１１に記載の方法。
［Ｃ１３］
前記制御信号に基づいて前記第３のナローバンド領域を識別すること
をさらに備える、Ｃ１１に記載の方法。
［Ｃ１４］
前記ＵＥにアプリオリに知られている構成に基づいて前記第３のナローバンド領域を識別すること
をさらに備える、Ｃ１１に記載の方法。
［Ｃ１５］
ユーザ機器（ＵＥ）におけるワイヤレス通信のための装置であって、
第１のナローバンド領域のリソース上で基地局から制御信号を受信するための手段と、  前記制御信号に少なくとも部分的に基づいて第２のナローバンド領域を識別するための手段と、
前記第２のナローバンド領域のリソース上で前記基地局と通信するための手段と
を備える、装置。
［Ｃ１６］
前記制御信号中の明示的指示から前記第２のナローバンド領域を決定するための手段をさらに備える、Ｃ１５に記載の装置。
［Ｃ１７］
前記制御信号に基づいてナローバンド領域の利用可能な構成のセットを決定するための手段と、
利用可能な構成の前記セットに基づいて前記第２のナローバンド領域を選択するための手段と
をさらに備える、Ｃ１５に記載の装置。
［Ｃ１８］
前記ＵＥにアプリオリに知られている構成に従って前記第２のナローバンド領域を決定するための手段
をさらに備える、Ｃ１５に記載の装置。
［Ｃ１９］
通信することが、
ランダムアクセスチャネル（ＲＡＣＨ）プリアンブルを送信すること
を備える、Ｃ１５に記載の装置。
［Ｃ２０］
前記第２のナローバンド領域にリンクされた第３のナローバンド領域を識別するための手段と、
前記第３のナローバンド領域のリソース上で前記基地局からＲＡＣＨ応答メッセージを受信するための手段と
をさらに備える、Ｃ１９に記載の装置。
［Ｃ２１］
通信することが、
前記第２のナローバンド領域のリソース上で接続要求を送信すること
を備える、Ｃ１５に記載の装置。
［Ｃ２２］
前記第２のナローバンド領域にリンクされた第３のナローバンド領域を識別するための手段と、
前記第３のナローバンド領域のリソース上で接続セットアップメッセージを受信するための手段と
をさらに備える、Ｃ２１に記載の装置。
［Ｃ２３］
前記制御信号が、同期信号、物理ブロードキャストチャネル（ＰＢＣＨ）送信、ページングメッセージ、またはシステム情報ブロック（ＳＩＢ）を備える、Ｃ１５に記載の装置。
［Ｃ２４］
前記制御信号がページングメッセージを備え、
前記通信することが、前記第２のナローバンド領域の前記リソース上でランダムアクセスチャネル（ＲＡＣＨ）プリアンブルを送信することを備える、
Ｃ１５に記載の装置。
［Ｃ２５］
第３のナローバンド領域のリソース上でページングメッセージを受信するための手段をさらに備え、ここにおいて、前記制御信号が、同期信号、物理ブロードキャストチャネル（ＰＢＣＨ）送信、またはＳＩＢを備え、
ここにおいて、前記通信することが、ランダムアクセスチャネル（ＲＡＣＨ）プリアンブルを送信することを備える、
Ｃ１５に記載の装置。
［Ｃ２６］
前記ＵＥのグループ識別情報に基づいて前記第３のナローバンド領域を識別するための手段
をさらに備える、Ｃ２５に記載の装置。
［Ｃ２７］
前記制御信号に基づいて前記第３のナローバンド領域を識別するための手段
をさらに備える、Ｃ２５に記載の装置。
［Ｃ２８］
前記ＵＥにアプリオリに知られている構成に基づいて前記第３のナローバンド領域を識別するための手段
をさらに備える、Ｃ２５に記載の装置。
［Ｃ２９］
ユーザ機器（ＵＥ）におけるワイヤレス通信のための装置であって、
プロセッサと、
前記プロセッサと電子通信しているメモリと、
前記メモリに記憶された命令と
を備え、ここにおいて、前記命令が、
第１のナローバンド領域のリソース上で基地局から制御信号を受信することと、
前記制御信号に少なくとも部分的に基づいて第２のナローバンド領域を識別することと、
前記第２のナローバンド領域のリソース上で前記基地局と通信することと
を行うために前記プロセッサによって実行可能である、装置。
［Ｃ３０］
ユーザ機器（ＵＥ）におけるワイヤレス通信のためのコードを記憶する非一時的コンピュータ可読媒体であって、前記コードが、
第１のナローバンド領域のリソース上で基地局から制御信号を受信することと、
前記制御信号に少なくとも部分的に基づいて第２のナローバンド領域を識別することと、
前記第２のナローバンド領域のリソース上で前記基地局と通信することと
を行うためにプロセッサによって実行可能な命令を備える、非一時的コンピュータ可読媒体。
【図１】
0006370992.tif 000002
【図２】
0006370992.tif 000003
【図３Ａ】
0006370992.tif 000004
【図３Ｂ】
0006370992.tif 000005
【図４】
0006370992.tif 000006
【図５】
0006370992.tif 000007
【図６】
0006370992.tif 000008
【図７】
0006370992.tif 000009
【図８】
0006370992.tif 000010
【図９】
0006370992.tif 000011
【図１０】
0006370992.tif 000012
【図１１】
0006370992.tif 000013
【図１２】
0006370992.tif 000014
【図１３】
0006370992.tif 000015
【図１４】
0006370992.tif 000016
【図１５】
0006370992.tif 000017
【図１６】
0006370992.tif 000018
【図１７】
0006370992.tif 000019
【図１８】
0006370992.tif 000020
【図１９】
0006370992.tif 000021
【図２０】
0006370992.tif 000022